(57)【要約】  【課題】塵埃が溜まることに起因して集塵効率（吸込仕事率）が低下するのを抑制する。  【解決手段】導入口１２から集塵装置１０内に取り込まれた空気に含まれる塵埃を、誘導部材２４により捕獲室２９に導く。誘導部材２４内に、空気の流れ方向に対して略平行方向に開口した通気口２６を有する円筒フィルタ２５を配置する。誘導部材２４内を流通する空気の一部を円筒フィルタ２５内に流入させ、分岐管２８を介して排気口１４側に導く。  【効果】捕獲室２９に塵埃が多く溜まり、捕獲室２９内を空気が通過する際の抵抗が大きくなっても、分岐管２８により空気の流れが確保されている。【選択図】        図３
2005312665.tif 000002
【特許請求の範囲】
【請求項１】
空気と一緒に吸い込まれた塵埃を捕獲し、空気は通過させる掃除機用集塵装置であって、
空気および塵埃が入ってくる導入口と、
上記導入口から入ってくる空気および塵埃が導かれる捕獲室と、
上記導入口から入ってくる空気の一部を分離して、空気の流れを確保するために設けられた空気流路と、
上記捕獲室および上記空気流路を通った空気を排出するための排気口と、
上記排気口の上流側に設けられ、上記捕獲室および上記空気流路から上記排気口へ塵埃が流れるのを防止するフィルタとを含むことを特徴とする掃除機用集塵装置。
【請求項２】
上記空気流路には、塵埃が上記空気流路に流入するのを防止するための塵埃流入防止用フィルタが設けられていることを特徴とする請求項１記載の掃除機用集塵装置。
【請求項３】
上記導入口には、入ってくる空気および塵埃を上記捕獲室に導く主流路が連通されており、
上記主流路は、空気および塵埃を上記捕獲室の上方から下方に向かって流入させるものであることを特徴とする請求項１記載の掃除機用集塵装置。
【請求項４】
上記空気流路は、上記主流路内の空気の流れ方向に対して略平行方向に開口した入口を有し、
上記入口には、塵埃流入防止用フィルタが設けられていることを特徴とする請求項３記載の掃除機用集塵装置。
【請求項５】
上記フィルタおよび上記排気口は、上記捕獲室の下方に備えられていることを特徴とする請求項４記載の掃除機用集塵装置。
【請求項６】
上記空気流路は、上記捕獲室に隣接して上方から下方へと延びていることを特徴とする請求項５記載の掃除機用集塵装置。
【請求項７】
上記空気流路は、上記捕獲室内を上方から下方へと延びていることを特徴とする請求項５記載の掃除機用集塵装置。
【請求項８】
上記空気流路は、上記フィルタに対して臨む出口を有し、
上記出口は、上記フィルタに対して、上記捕獲室を通った空気が通過する位置と異なる位置に臨んでいることを特徴とする請求項５〜７のいずれかに記載の掃除機用集塵装置。
【請求項９】
上記フィルタおよび上記排気口は、上記捕獲室の側方に備えられていることを特徴とする請求項４記載の掃除機用集塵装置。
【請求項１０】
上記空気流路は、上記捕獲室の側方に設けられた上記フィルタの上方位置に臨む出口を有することを特徴とする請求項９記載の掃除機用集塵装置。
【請求項１１】
上記フィルタの表面と摺接し、その表面に付着した塵埃を除去するためのフィルタクリーニング機構を有することを特徴とする請求項１記載の掃除機用集塵装置。
【請求項１２】
上記フィルタは、
上記捕獲室内に臨む相対的に大きな塵埃を捕獲するためのプレフィルタと、
上記プレフィルタの下流側に設けられ、相対的に小さな塵埃を捕獲するためのメインフィルタとを有し、
上記フィルタクリーニング機構は、上記プレフィルタの目詰まりを除去するものであることを特徴とする請求項１１記載の掃除機用集塵装置。
【請求項１３】
上記フィルタは、
上記捕獲室内に臨む相対的に大きな塵埃を捕獲するためのプレフィルタと、
上記プレフィルタの下流側に設けられ、相対的に小さな塵埃を捕獲するためのメインフィルタとを有し、
上記フィルタクリーニング機構は、上記メインフィルタの目詰まりを除去するものであることを特徴とする請求項１１記載の掃除機用集塵装置。
【請求項１４】
上記フィルタは、上記捕獲室および上記空気流路に対して開放可能であることを特徴とする請求項１記載の掃除機用集塵装置。
【請求項１５】
上記掃除機用集塵装置は、掃除機に対して着脱可能にユニット化されていることを特徴とする請求項１４記載の掃除機用集塵装置。
【請求項１６】
掃除機から取り外し可能にユニット化された集塵装置であって、
縦長形状をした捕獲室と、
上記捕獲室の上方に形成され、上記掃除機の吸込口から吸い込まれた空気および塵埃が入ってくる導入口と、
上記導入口に連通され、入ってくる空気および塵埃を上記捕獲室の上方から下方へ誘導する主流路と、
上記主流路に形成され、上記主流路内の空気の流れ方向に対して略平行方向に開口し、塵埃流入防止用フィルタが設けられた入口と、
上記捕獲室を、上記主流路を通って入ってくる空気および塵埃を溜める主室と、上記入口から流入する空気を導くための空気流路とに区画する区画壁と、
上記捕獲室の下部に開放可能に取り付けられ、閉じられた状態で上記主室および上記空気流路から下方へ流れ出ようとする塵埃を捕獲し、空気は通過させるフィルタとを含むことを特徴とする掃除機用集塵装置。
【請求項１７】
空気と一緒に導入口から吸い込まれた塵埃を捕獲し、空気は排気口から通過させる掃除機用集塵装置であって、
上記掃除機用集塵装置に対して着脱可能であり、上記導入口から吸い込まれた空気を、その内部に備えられた粗塵用フィルタを通過させてから排出させることにより、上記粗塵用フィルタで捕獲される比較的大きい塵埃を溜めておくための第１捕獲室と、
上記第１捕獲室が上記掃除機用集塵装置に取り付けられることによって区画形成され、上記第１捕獲室から排出された空気を、その内部に備えられた細塵用フィルタを通過させてから上記排気口側に導くことにより、上記細塵用フィルタで捕獲される比較的小さい塵埃を溜めておくための第２捕獲室とを含むことを特徴とする掃除機用集塵装置。
【請求項１８】
上記第１捕獲室には、上記第２捕獲室において上記細塵用フィルタを通過した空気を上記排気口側に導くための誘導流路が形成されていることを特徴とする請求項１７記載の掃除機用集塵装置。
【請求項１９】
上記誘導流路は、その外周面にリブが突出形成された管状部材により形成されており、
上記管状部材を回転させるための操作部を含むことを特徴とする請求項１８記載の掃除機用集塵装置。
【請求項２０】
上記第１捕獲室は、略円筒状部材で形成されており、
上記導入口から吸い込まれる空気は、上記第１捕獲室の接線方向に沿って上記第１捕獲室内に流入することを特徴とする請求項１７〜１９のいずれかに記載の掃除機用集塵装置。
【発明の詳細な説明】
【技術分野】
【０００１】
この発明は、吸引された空気に含まれる塵埃を捕獲する掃除機用集塵装置に関する。
【背景技術】
【０００２】
床面を転がる複数の車輪を備えた吸込部と、この吸込部に対して一端部が回動可能に取り付けられた長尺形状の本体とを備え、本体の他端部に形成されたハンドルを把持して、本体を鉛直方向に対して後方に若干傾けた姿勢で使用することができる、いわゆるアップライト型（縦型）の掃除機が知られている（たとえば、特許文献１参照）。アップライト型の掃除機は、使用しないときには、吸込部に対して本体を鉛直方向に起立させた姿勢で保持しておくことができる。
【０００３】
特許文献１に開示されている集塵装置は、吸込部から吸引した空気に含まれる塵埃を捕獲するための略円筒状の集塵ケースが備えられている。集塵ケースには、接線方向に沿って集塵ケース内に空気を取り込むための導入口が形成されていて、導入口から集塵ケース内に取り込まれた空気は、集塵ケース内を高速で旋回するようになっている。そして、集塵ケース内を高速で旋回する空気からフィルタによって塵埃が分離される。
【０００４】
かかる掃除機では、塵埃を溜めるために紙パックを使用しないので経済的であるという利点を有する。
【特許文献１】特開２０００−３４２４９２号公報
【発明の開示】
【発明が解決しようとする課題】
【０００５】
しかしながら、上記従来技術では、導入口から取り込んだ空気を集塵ケース内で旋回させるため、集塵ケース内での空気の流れが複雑になり、吸引効率が悪いという問題がある。
この発明は、かかる背景のもとでなされたもので、塵埃が溜まることに起因して集塵効率（吸込仕事率）が低下するのを抑制できる掃除機用集塵装置を提供することを目的とする。
【０００６】
また、この発明の別の目的は、吸引効率が向上された掃除機用集塵装置を提供することである。
この発明のさらに別の目的は、メンテナンスが容易な掃除機用集塵装置を提供することである。
【課題を解決するための手段】
【０００７】
上記目的を達成するための請求項１記載の発明は、空気と一緒に吸い込まれた塵埃を捕獲し、空気は通過させる掃除機用集塵装置（１０；１１０；２１０；３１０；４１０）であって、空気および塵埃が入ってくる導入口（１２；１１２；２１２；３１２；４１２）と、上記導入口から入ってくる空気および塵埃が導かれる捕獲室（２９；１２９；２２９；３２９；４２９）と、上記導入口から入ってくる空気の一部を分離して、空気の流れを確保するために設けられた空気流路（２５，２８；１２５，１２８；２２８；３２８；４２８）と、上記捕獲室および上記空気流路を通った空気を排出するための排気口（１４；１１４；２１４；３１４；４１４）と、上記排気口の上流側に設けられ、上記捕獲室および上記空気流路から上記排気口へ塵埃が流れるのを防止するフィルタ（３０；１３０；２３０；３３０；４３０）とを含むことを特徴とする掃除機用集塵装置である。
【０００８】
なお、括弧内の英数字は、後述の実施形態における対応構成要素を表す。以下、この項において同じ。
この構成によれば、捕獲室に塵埃が多く溜まり、捕獲室内を空気が通過する際の抵抗が大きくなっても、空気流路により空気の流れが確保されている。したがって、集塵装置を通過する空気全体の流れが保たれ、塵埃が溜まっても、掃除の効率（仕事率）が低下しない。
【０００９】
請求項２記載の発明は、上記空気流路（２５，２８；１２５，１２８；２２８；３２８；４２８）には、塵埃が上記空気流路に流入するのを防止するための塵埃流入防止用フィルタ（２７；１２７；２２７；３２７；４２７）が設けられていることを特徴とする請求項１記載の掃除機用集塵装置（１０；１１０；２１０；３１０；４１０）である。
この構成によれば、塵埃流入防止用フィルタで塵埃の流入を阻止することができるので、空気流路に塵埃は溜まらず、空気の流れが低下しない。
【００１０】
請求項３記載の発明は、上記導入口（１２；１１２；２１２；３１２；４１２）には、入ってくる空気および塵埃を上記捕獲室に導く主流路（２４；１２４；２２４，２２５，２４９；３２４，３２５；４２４，４２５）が連通されており、上記主流路は、空気および塵埃を上記捕獲室の上方から下方に向かって流入させるものであることを特徴とする請求項１記載の掃除機用集塵装置（１０；１１０；２１０；３１０；４１０）である。
【００１１】
この構成によれば、捕獲室内を空気が上方から下方へと流れ、塵埃も空気の流れとともに流れて、捕獲室の下方に溜まっていく。したがって、捕獲室内で塵埃は上方から空気で押し下げられて、かさばらないように縮められる。
請求項４記載の発明は、上記空気流路（２５，２８；１２５，１２８；２２８；３２８；４２８）は、上記主流路内の空気の流れ方向に対して略平行方向に開口した入口（２６；１２６；２２６；３２６；４２６）を有し、上記入口には、塵埃流入防止用フィルタ（２７；１２７；２２７；３２７；３２７）が設けられていることを特徴とする請求項３記載の掃除機用集塵装置（１０；１１０；２１０；３１０；４１０）である。
【００１２】
この構成によれば、導入口から入ってくる空気および塵埃は、主として主流路内を流れて捕獲室へと入る。空気流路の入口は、主流路内の空気の流れ方向に略平行であるから、塵埃は入口から空気流路に入らず、流れやすい主流路を流れる。また、塵埃流入防止用フィルタがあることで、塵埃の流入防止がより確実となる。そして、空気の流れを確保するのに必要な空気量だけが入口から空気流路へと流れる。
【００１３】
請求項５記載の発明は、上記フィルタ（３０；２３０；４３０）および上記排気口（１４；２１４；４１４）は、上記捕獲室（２９；２２９；４２９）の下方に備えられていることを特徴とする請求項４記載の掃除機用集塵装置（１０；２１０；４１０）である。
この構成によれば、捕獲室を上方から下方に向かって流れる空気は、そのまま下方のフィルタを通り排気口から下方へ排気されるので、捕獲室内の空気の流れが単純で、仕事率が低下しない。
【００１４】
請求項６記載の発明は、上記空気流路（４２８）は、上記捕獲室に隣接して上方から下方へと延びていることを特徴とする請求項５記載の掃除機用集塵装置（４１０）である。
この構成によれば、空気流路内の空気の流れが捕獲室の空気の流れと同じ方向であり、スムーズに空気が流れ、仕事率が低下しない。
請求項７記載の発明は、上記空気流路（２５，２８；２２８）は、上記捕獲室内を上方から下方へと延びていることを特徴とする請求項５記載の掃除機用集塵装置（１０；２１０）である。
【００１５】
この構成によれば、空気流路内の空気の流れが捕獲室の空気の流れと同じ方向であり、スムーズに空気が流れ、仕事率が低下しない。
請求項８記載の発明は、上記空気流路（２５，２８；２２８；４２８）は、上記フィルタ（３０；２３０；４３０）に対して臨む出口を有し、上記出口は、上記フィルタに対して、上記捕獲室（２９；２２９；４２９）を通った空気が通過する位置と異なる位置に臨んでいることを特徴とする請求項５〜７のいずれかに記載の掃除機用集塵装置である。
【００１６】
この構成によれば、フィルタの手前に多くの塵埃が溜まっても、空気流路からフィルタを通って排気口へ流れる空気の流れを確保できる。
請求項９記載の発明は、上記フィルタ（１３０；３３０）および上記排気口（１１４；３１４）は、上記捕獲室（１２９；３２９）の側方に備えられていることを特徴とする請求項４記載の掃除機用集塵装置（１１０；３１０）である。
【００１７】
この構成によれば、捕獲室を上方から下方へ向かって流れる空気に含まれる塵埃は、自重で捕獲室の底に溜まっていく。そして、空気は側方のフィルタを通って排気口から排出される。捕獲室内で、塵埃を底から溜めていきつつ、空気の流れを確保でき、集塵力が低下しにくい。
請求項１０記載の発明は、上記空気流路（１２５，１２８；３２８）は、上記捕獲室（１２９；３２９）の側方に設けられた上記フィルタの上方位置に臨む出口を有することを特徴とする請求項９記載の掃除機用集塵装置（１１０；３１０）である。
【００１８】
この構成によれば、捕獲室内では、塵埃は底から溜まっていく。側面のフィルタは上方位置に塵埃が達しにくく、空気流路から流れる空気がフィルタを通って排気される通路を確保できる。
請求項１１記載の発明は、上記フィルタ（３０；１３０；２３０；３３０）の表面と摺接し、その表面に付着した塵埃を除去するためのフィルタクリーニング機構（４３，４２，４１，２５，２８，３９；１３０Ｄ；２４３，２４２，２４１，２２５，２４９，２５０，２３９；３３０Ｄ）を有することを特徴とする請求項１記載の掃除機用集塵装置（１０；１１０；２１０；３１０）である。
【００１９】
この構成によれば、フィルタの目詰まりを解消できるので、空気流路から流れる空気がフィルタを通って排気される通路を確保できる。
請求項１２記載の発明は、上記フィルタ（３０；２３０）は、上記捕獲室（２９；２２９）内に臨む相対的に大きな塵埃を捕獲するためのプレフィルタ（３１；２３１）と、上記プレフィルタの下流側に設けられ、相対的に小さな塵埃を捕獲するためのメインフィルタ（３２；２３２）とを有し、上記フィルタクリーニング機構（４３，４２，４１，２５，２８，３９；２４３，２４２，２４１，２２５，２４９，２５０，２３９）は、上記プレフィルタの目詰まりを除去するものであることを特徴とする請求項１１記載の掃除機用集塵装置（１０；２１０）である。
【００２０】
この構成によれば、プレフィルタの目詰まりを解消できるので、空気の流れを確保できる。
請求項１３記載の発明は、上記フィルタ（１３０；３３０）は、上記捕獲室（１２９；３２９）内に臨む相対的に大きな塵埃を捕獲するためのプレフィルタ（１３１；３３１）と、上記プレフィルタの下流側に設けられ、相対的に小さな塵埃を捕獲するためのメインフィルタ（１３２；３３２）とを有し、上記フィルタクリーニング機構（１３０Ｄ；３３０Ｄ）は、上記メインフィルタの目詰まりを除去するものであることを特徴とする請求項１１記載の掃除機用集塵装置（１１０；３１０）である。
【００２１】
この構成によれば、メインフィルタの目詰まりを解消できるので、空気の流れを確保できる。
請求項１４記載の発明は、上記フィルタ（３０；１３０；２３０；３３０；４３０）は、上記捕獲室（２９；１２９；２２９；３２９；４２９）および上記空気流路（２５，２８；１２５，１２８；２２８；３２８；４２８）に対して開放可能であることを特徴とする請求項１記載の掃除機用集塵装置（１０；１１０；２１０；３１０；４１０）である。
【００２２】
この構成によれば、フィルタを開放することにより、捕獲室に溜まった塵埃を簡単に捨てられる。また、空気流路に溜まった微小な塵埃も捨てられる。
請求項１５記載の発明は、上記掃除機用集塵装置（１０；１１０；２１０；３１０；４１０）は、掃除機（１）に対して着脱可能にユニット化されていることを特徴とする請求項１４記載の掃除機用集塵装置である。
【００２３】
この構成によれば、集塵装置を取り外し、ごみ捨てが簡単に行える。
請求項１６記載の発明は、掃除機（１）から取り外し可能にユニット化された集塵装置（４１０）であって、縦長形状をした捕獲室（４２３）と、上記捕獲室の上方に形成され、上記掃除機の吸込口（６）から吸い込まれた空気および塵埃が入ってくる導入口（４１２）と、上記導入口に連通され、入ってくる空気および塵埃を上記捕獲室の上方から下方へ誘導する主流路（４２４，４２５）と、上記主流路に形成され、上記主流路内の空気の流れ方向に対して略平行方向に開口し、塵埃流入防止用フィルタ（４２７）が設けられた入口（４２６）と、上記捕獲室を、上記主流路を通って入ってくる空気および塵埃を溜める主室（４２９）と、上記入口から流入する空気を導くための空気流路（４２８）とに区画する区画壁（４４９）と、上記捕獲室の下部に開放可能に取り付けられ、閉じられた状態で上記主室および上記空気流路から下方へ流れ出ようとする塵埃を捕獲し、空気は通過させるフィルタ（４３０）とを含むことを特徴とする掃除機用集塵装置である。
【００２４】
この構成によれば、主室に塵埃が多く溜まり、主室内を空気が通過する際の抵抗が大きくなっても、空気流路により空気の流れが確保されている。したがって、集塵装置を通過する空気全体の流れが保たれ、塵埃が溜まっても、掃除の効率（仕事率）が低下しない。
導入口から入ってくる空気および塵埃は、主として主流路内を流れて捕獲室へと入る。空気流路の入口は、主流路内の空気の流れ方向に略平行であるから、塵埃は入口から空気流路に入らず、流れやすい主流路を流れる。また、塵埃流入防止用フィルタがあることで、塵埃の流入防止がより確実となる。そして、空気の流れを確保するのに必要な空気量だけが入口から空気流路へと流れる。
【００２５】
請求項１７記載の発明は、空気と一緒に導入口（５１２）から吸い込まれた塵埃を捕獲し、空気は排気口（５１４）から通過させる掃除機用集塵装置（５１０）であって、上記掃除機用集塵装置に対して着脱可能であり、上記導入口から吸い込まれた空気を、その内部に備えられた粗塵用フィルタ（５２５）を通過させてから排出させることにより、上記粗塵用フィルタで捕獲される比較的大きい塵埃を溜めておくための第１捕獲室（５２０Ｂ）と、上記第１捕獲室が上記掃除機用集塵装置に取り付けられることによって区画形成され、上記第１捕獲室から排出された空気を、その内部に備えられた細塵用フィルタ（５３１，５３２）を通過させてから上記排気口側に導くことにより、上記細塵用フィルタで捕獲される比較的小さい塵埃を溜めておくための第２捕獲室（５２０Ａ）とを含むことを特徴とする掃除機用集塵装置である。
【００２６】
この構成によれば、導入口から取り込まれた空気に含まれる粗塵を、粗塵用フィルタで捕獲して第１捕獲室に溜めておくことができるので、第２捕獲室に粗塵が流入するのを防止できる。したがって、第２捕獲室に配置された細塵用フィルタに付着する塵埃の量が少なく、細塵用フィルタに付着した塵埃（細塵）を頻繁に除去する必要がないので、メンテナンスが容易である。
【００２７】
請求項１８記載の発明のように、上記第１捕獲室（５２０Ｂ）には、上記第２捕獲室（５２０Ａ）において上記細塵用フィルタ（５３１．５３２）を通過した空気を上記排気口（５１４）側に導くための誘導流路（５２８）が形成されていてもよい。
この場合、請求項１９記載の発明のように、上記誘導流路は、その外周面にリブ（５２８Ｂ）が突出形成された管状部材（５２８）により形成されており、上記管状部材を回転させるための操作部（５４３）を含むような構成であれば、第１捕獲室に塵埃が堆積して、管状部材の外周面に塵埃が張り付いた状態となっている場合でも、回転する管状部材の外周面に形成されたリブによって、塵埃を管状部材の外周面から分離させることができる。したがって、その後に第１捕獲室内の塵埃を容易に取り出すことができる。
【００２８】
請求項２０記載の発明は、上記第１捕獲室（５２０Ｂ）は、略円筒状部材で形成されており、上記導入口（５１２）から吸い込まれる空気は、上記第１捕獲室の接線方向に沿って上記第１捕獲室内に流入することを特徴とする請求項１７〜１９のいずれかに記載の掃除機用集塵装置（５１０）である。
この構成によれば、導入口から吸い込まれる空気は、第１捕獲室の外周面の接線方向に沿って流入し、第１捕獲室内を高速で旋回することとなる。
【発明を実施するための最良の形態】
【００２９】
以下には、図面を参照して、この発明の実施形態について具体的に説明する。
図１および図２は、この発明の第１実施形態に係る掃除機１の構成を示す外観図である。図１は左側面図、図２は背面図をそれぞれ示しており、掃除機１の内部構成を分かりやすくするために、それぞれ掃除機１の一部を断面図で示している。
図１および図２を参照して、この掃除機１は、床面を転がる複数の車輪２を備えた吸込部３と、この吸込部３に対して一端部（下端部）が回動可能に取り付けられた長尺形状の本体４とを備え、本体４の他端部（上端部）に形成されたハンドル５を把持して、本体４を鉛直方向に対して後方に若干傾けた姿勢で使用することができる、いわゆるアップライト型（縦型）の掃除機である。この掃除機１は、使用しないときには、吸込部３に対して本体４を鉛直方向に起立させた姿勢（図１および図２に示す姿勢）で保持しておくことができる。
【００３０】
吸込部３の底面前側には、吸込口６が形成されている。吸込部３の内部後側には、モータと、このモータによって回転駆動されるファンとを含む電動送風機７が配置されている。この掃除機１を用いて掃除を行う際には、本体４（たとえば、後述する下部材４Ａの上端部）に備えられた電源スイッチ８を操作して電動送風機７の駆動を開始させることにより、吸込口６の外側の空気とともに、吸込口６に対向する床面上の塵埃が吸込口６から吸込部３内に吸引されるようになっている。吸込部３の内部前側には、左右方向に延びる回転軸９Ａを中心に回転可能な回転ブラシ９が配置されており、この回転ブラシ９の外周面が吸込口６に臨んでいる。電動送風機７が駆動されると、吸込口６から吸込部３内に吸引される空気の風圧によって回転ブラシ９が回転され、吸込口６から吸込部３内への塵埃の流入を補助することができるとともに、回転ブラシ９によって吸込口６からの異物の流入を防止することができる。ただし、回転ブラシ９は、モータにより回転駆動されるようになっていてもよい。
【００３１】
本体４には、吸込部３から吸引した空気に含まれる塵埃を捕獲するための集塵装置１０が着脱可能に取り付けられている。本体４には、吸込部３の上方に位置し、集塵装置１０を保持する下部材４Ａと、この下部材４Ａの上端部に一端部（下端部）が挿入され、上方に向かうにつれて後方側に傾斜するように湾曲した上部材４Ｂとが備えられ、全体として上下に長尺形状に形成されている。上部材４Ｂの前面上部には、アーチ状のハンドル５の両端部が連結されており、このハンドル５を把持して、本体４が延びる方向に沿って力を加えることにより、本体４および本体４に連結された吸込部３に推進力を与え、車輪２の回転を伴って掃除機１を移動させることができる。上部材４Ｂの後面には、その上端部および下端部にコード巻き付け部１１が突出形成されていて、掃除機１を使用しないときや、掃除機１の使用時に電源コードが長すぎる場合などには、２つのコード巻き付け部１１に電源コードを掛け渡すようにして巻き付けておくことができる。
【００３２】
集塵装置１０には導入口１２が形成されていて、吸込部３に一端部が連結されたホース１３の他端部が、集塵装置１０の導入口１２に接続されている。これにより、吸込口６から吸込部３に吸引された空気および塵埃は、ホース１３内を通って集塵装置１０側へと送られ、導入口１２から集塵装置１０内に取り込まれるようになっている。集塵装置１０内に取り込まれた塵埃を含む空気は、集塵装置１０内を通過する過程で塵埃が捕獲され、集塵装置１０の底面に形成された排気口１４から下方に向かって排出される。本体４の下部材４Ａ内には、集塵装置１０の排気口１４から排出された空気を前方側へと導く誘導路１５が形成されていて、この誘導路１５を通って前方側へと導かれた空気は、排気フィルタ１６を通って機外に排出される。
【００３３】
図３は、集塵装置１０を前後方向に沿った鉛直面で切断したときの断面を左側から見た断面図である。図４は、集塵装置１０の背面図であって、その内部構成を分かりやすくするために、集塵装置１０の一部を断面図で示している。図５は、図３に示す矢印Ａ−Ａに沿って見た集塵装置１０の断面図である。
図３〜図５を参照して、集塵装置１０は、その外形を区画する略円筒状の集塵ケース２０を備えている。集塵ケース２０の上端部には、集塵装置１０を掃除機１に対して着脱する際に把持するための把持部２１が形成されている。集塵ケース２０内は、その上端部に形成された上部空間２２と、中央部から下端にかけて形成された下部空間２３とに区画されている。導入口１２は、下部空間２３の上端部に形成されていて、導入口１２から取り込まれた空気は、集塵ケース２０の外周面の接線方向に沿って下部空間２３内に導かれるようになっている。
【００３４】
下部空間２３の上端部には、一端が導入口１２に接続され、水平方向に延びる管状の誘導部材２４が配置されている。より具体的には、誘導部材２４は、一端が導入口１２に接続された左右方向に延びる上流側部分２４Ａと、この上流側部分２４Ａの他端から後方に向かって延びる下流側部分２４Ｂとを備えた略Ｌ字形状に形成されている。上流側部分２４Ａと下流側部分２４Ｂとの結合部近傍の内側（内角側）は、集塵ケース２０の中心軸線上に位置しており、誘導部材２４内には、集塵ケース２０の中心軸線に沿って上下方向に延びる略円筒状の円筒フィルタ２５が配置されている。すなわち、誘導部材２４は、円筒フィルタ２５の外周に沿って延設されており、導入口１２から取り込まれる空気は、円筒フィルタ２５の外周に沿って流通し、誘導部材２４の先端に導かれるようになっている。円筒フィルタ２５は、その外周面に複数の通気口２６が形成されていて、各通気口２６はメッシュフィルタ２７で覆われている。通気口２６は、誘導部材２４内の空気の流れ方向に対して略平行方向に開口している。
【００３５】
導入口１２から取り込まれた空気は、図３および図５において白抜き矢印で示すように、誘導部材２４内を通って下流側部分２４Ｂの先端に向かって誘導されることとなるが、その一部が、図３および図５において黒矢印で示すように、通気口２６からメッシュフィルタ２７を通って円筒フィルタ２５内に流入する。一方、導入口１２から取り込まれた空気に含まれる塵埃は、空気よりも重いため、慣性力によって誘導部材２４内の外側（外角側）を通って下流側部分２４Ｂの先端へと導かれる。円筒フィルタ２５は、誘導部材２４内の塵埃の流通経路に対してずれた位置に配置されており、導入口１２から取り込まれた空気に含まれる塵埃は、円筒フィルタ２５を回避して誘導部材２４の先端から下部空間２３内に放出される。これにより、円筒フィルタ２５が誘導部材２４内における塵埃の流通の妨げになるのを防止できる。
【００３６】
集塵ケース２０内には、一端部（上端部）が円筒フィルタ２５に接続され、集塵ケース２０の中心軸線に沿って下方に延びる分岐管２８が配置されている。通気口２６からメッシュフィルタ２７を通って円筒フィルタ２５内に流入した空気は、分岐管２８を通って下方に導かれる。下部空間２３における分岐管２８の外側の空間は、誘導部材２４の先端から放出された塵埃を捕獲して溜めておくための捕獲室２９を構成している。すなわち、集塵ケース２０（下部空間２３）の底部には、フィルタ部材３０が配置されていて、誘導部材２４から放出されて下方に向かう空気がフィルタ部材３０を通過する際に、その空気に含まれる塵埃がフィルタ部材３０によって捕獲され、捕獲室２９に溜まるようになっている。
【００３７】
集塵ケース２０の底面は開口されていて、その開口は、塵埃が捕獲された後の空気が排出される排気口１４を構成している。集塵ケース２０の下端部には、排気口１４を覆うように、フィルタ部材３０が着脱可能に取り付けられている。フィルタ部材３０は、捕獲室２９に臨む平面視で略円形のメッシュフィルタ３１と、このメッシュフィルタ３１の下方に一定間隔を空けて配置された平面視で略円形の濾紙フィルタ３２とを含む。濾紙フィルタ３２は、排気口１４に対応する形状の下保持部材３０Ａによって保持され、メッシュフィルタ３１は、下保持部材３０Ａの上面後端部にヒンジ３３を介して回動可能に取り付けられた上保持部材３０Ｂによって保持される。上保持部材３０Ｂの中央部には、下保持部材３０Ａに保持された濾紙フィルタ３２の外周を取り囲むように上方に突出した円筒部３４が形成されていて、この円筒部３４の上端開口を覆うようにメッシュフィルタ３１が取り付けられている。
【００３８】
分岐管２８の下端部には、フィルタ部材３０の上保持部材３０Ｂに形成された円筒部３４の上端開口に対向する略円形のフランジ部３５が、径方向に張り出すように形成されている。図６は、分岐管２８の底面図であって、この図６に示すように、分岐管２８の下端部から径方向に張り出したフランジ部３５は、フィルタ部材３０の円筒部３４の上端面に対応する形状の円環部３６と、この円環部３６の内周面および分岐管２８の外周面を連結する複数（たとえば、４つ）の連結部３７とを含む。各連結部３７は、分岐管２８の下端部の外周面から、互いに周方向に所定角度（たとえば、９０°）ずつ間隔を空けて径方向に向かって延びている。円環部３６の内周面と連結部３７とによって区画される複数（たとえば、４つ）の開口は、捕獲室２９に流入した空気がフィルタ部材３０へと向かうための通気口３８を構成している。すなわち、誘導部材２４から捕獲室２９に流入した空気は、図３において白抜き矢印で示すように、通気口３８を通ってフィルタ部材３０に導かれ、メッシュフィルタ３１および濾紙フィルタ３２を通過して排気口１４から排出される。捕獲室２９から排気口１４へと向かう空気に含まれる塵埃のうち、比較的大きな塵埃（粗塵）は、メッシュフィルタ３１によって捕獲されて捕獲室２９に溜まる一方、メッシュフィルタ３１を通過した比較的小さな塵埃（細塵）は、濾紙フィルタ３２によって捕獲されることとなる。一方、分岐管２８を通って下方に導かれる空気は、その下端からフィルタ部材３０の中央部に向けて放出され、メッシュフィルタ３１および濾紙フィルタ３２を通過して排気口１４から排出される。
【００３９】
フランジ部３５の各連結部３７の下面には、ブラシ部材３９（たとえば、毛など）が取り付けられていて、これらのブラシ部材３９の先端部がメッシュフィルタ３１の上面に当接している。この実施形態では、円筒フィルタ２５および分岐管２８を一体的に回転させることができるようになっていて、その回転に伴って、フランジ部３５に取り付けられたブラシ部材３９の先端部がメッシュフィルタ３１に摺接するようになっている。より具体的には、円筒フィルタ２５の上端部は、集塵ケース２０の上部空間２２と下部空間２３とを区画する区画壁４０を貫通して上部空間２２に臨んでおり、その外周面に形成されたフランジ部４１の下面が区画壁４０の上面に当接することにより、円筒フィルタ２５および円筒フィルタ２５に連結された分岐管２８が回転可能に保持されている。
【００４０】
円筒フィルタ２５の上端部に形成されたフランジ部４１の上面の外周縁には、複数の歯が形成されており、集塵ケース２０の上部空間２２内には、これらの歯に噛み合うギア４２が配置されている。ギア４２は、その軸線が前後方向に延びており、集塵ケース２０の周面の後端部から外方に張り出したダイヤル４３に連結されている。ダイヤル４３を回転させると、ギア４２を介してフランジ部４１が回転し、円筒フィルタ２５および分岐管２８が回転する。これにより、分岐管２８の下端部に形成されたフランジ部３５を回転させ、このフランジ部３５に取り付けられたブラシ部材３９の先端部をメッシュフィルタ３１に摺接させて、メッシュフィルタ３１の上面に付着している塵埃を除去し、メッシュフィルタ３１の目詰まりを解消できるようになっている。
【００４１】
集塵ケース２０の後端下部には、フィルタ部材３０（下保持部材３０Ａ）の後端部を係止するための係止部４４が形成されている。一方、集塵ケース２０の外面下部の前端部には、フィルタ部材３０（下保持部材３０Ａ）の前端部を係止するための係止爪４５が取り付けられている。係止爪４５は、その上端部を中心に前後方向に回動可能であって、集塵ケース２０の外周面に沿って上下方向に延びた状態で、その下端部に形成された爪部４５Ａをフィルタ部材３０の前端部に係止させることができるようになっている。
【００４２】
集塵ケース２０の外面の前端部には、フィルタ部材３０に対する係止爪４５の係合を解除するために操作される操作レバー４６が、上下方向中央部から下端にかけて延びている。操作レバー４６の下端部は、集塵ケース２０の外周面と係止爪４５との間に挿入されている。操作レバー４６は、その上端部に配置されたばね４７によって上方に向かって付勢されている。操作レバー４６をばね４７の付勢力に抗して下方に押し下げることにより、操作レバー４６の下端部に形成された傾斜面４６Ａで係止爪４５を前方に押し出し、フィルタ部材３０に対する係止爪４５の係合を解除することができる。フィルタ部材３０は、係止爪４５の係合が解除された状態で、集塵ケース２０から取り外すことができる。
【００４３】
フィルタ部材３０を集塵ケース２０から取り外すことにより、排気口１４を開放し、排気口１４を介して捕獲室２９内に溜まった塵埃を簡単に捨てられる。また、分岐路２８に溜まった微小な塵埃も捨てられる。このような構成によれば、フィルタ部材３０を集塵ケース２０から取り出して、メッシュフィルタ３１および濾紙フィルタ３２に付着した塵埃を除去し、再び集塵ケース２０に取り付けることにより、フィルタを繰り返し使用することができるので、使い捨ての紙パックで塵埃を捕獲するような構成と比較して経済的である。
【００４４】
フィルタ部材３０を集塵ケース２０から取り外した状態では、下保持部材３０Ａに対してヒンジ３３を中心に上保持部材３０Ｂを上方に回動させることができる。メッシュフィルタ３１と濾紙フィルタ３２との間には、互いに一定間隔を空けて配置されることによって空間４８が形成されており、上保持部材３０Ｂを下保持部材３０Ａに対して回動させることにより、その空間４８を解放することができる。上保持部材３０Ｂを下保持部材３０Ａに対して回動させて空間４８を解放し、濾紙フィルタ３２の上方に別のフィルタを配置して上保持部材３０Ｂを閉じると、空間４８内にメッシュフィルタ３１および濾紙フィルタ３２以外の別のフィルタを配置することができる。上記の別のフィルタとしては、たとえば、ウレタン製のフィルタのような専用フィルタを用いることもできるし、ティッシュペーパをフィルタとして利用することもできる。このように、メッシュフィルタ３１と濾紙フィルタ３２との間の空間４８に別のフィルタを配置すれば、濾紙フィルタ３２に塵埃が付着しにくいので、その別のフィルタを交換するだけで容易にメンテナンスを行うことができる。
【００４５】
この実施形態では、捕獲室２９に塵埃が多く溜まり、捕獲室２９内を空気が通過する際の抵抗が大きくなっても、分岐管２８により空気の流れが確保されている。したがって、集塵装置１０を通過する空気全体の流れが保たれ、塵埃が溜まっても、掃除の効率（仕事率）が低下しない。
また、誘導部材２４と円筒フィルタ２５との接続部に配置されたメッシュフィルタ２７で塵埃の流入を阻止することができるので、分岐管２８に塵埃は溜まらず、空気の流れが低下しない。
【００４６】
さらに、捕獲室２９内を空気が上方から下方へと流れ、塵埃も空気の流れとともに流れて、捕獲室２９の下方に溜まっていく。したがって、捕獲室２９内で塵埃は上方から空気で押し下げられて、かさばらないように縮められる。
さらにまた、導入口１２から入ってくる空気および塵埃は、主として誘導部材２４内を流れて捕獲室２９へと入る。分岐管２８の通気口２６は、誘導部材２４内の空気の流れ方向に略平行であるから、塵埃は通気口２６から分岐管２８に入らず、流れやすい誘導部材２４を流れる。また、メッシュフィルタ２７があることで、塵埃の流入防止がより確実となる。そして、空気の流れを確保するのに必要な空気量だけが通気口２６から分岐管２８へと流れる。
【００４７】
また、捕獲室２９を上方から下方に向かって流れる空気は、そのまま下方のフィルタ部材３０を通り排気口１４から下方へ排気されるので、捕獲室２９内の空気の流れが単純で、仕事率が低下しない。
さらに、分岐管２８内の空気の流れが捕獲室２９の空気の流れと同じ方向であり、スムーズに空気が流れ、仕事率が低下しない。
【００４８】
さらにまた、分岐管２８の出口は、フィルタ部材３０に対して、捕獲室２９を通った空気が通過する位置と異なる位置に臨んでいるので、フィルタ部材３０の手前に多くの塵埃が溜まっても、分岐管２８からフィルタ部材３０を通って排気口１４へ流れる空気の流れを確保できる。
図７は、第１変形例に係る集塵装置１１０を前後方向に沿った鉛直面で切断したときの断面を左側から見た断面図である。図８は、集塵装置１１０の背面図であって、その内部構成を分かりやすくするために、集塵装置１１０の一部を断面図で示している。図９は、図７に示す矢印Ｂ−Ｂに沿って見た集塵装置１１０の断面図であり、図１０は、図７に示す矢印Ｃ−Ｃに沿って見た集塵装置１１０の断面図である。
【００４９】
図７〜図１０を参照して、この変形例に係る集塵装置１１０は、その外形を区画する平面視で略矩形の集塵ケース１２０を備えている。集塵ケース１２０の上端部には、集塵装置１１０を掃除機１に対して着脱する際に把持するための把持部１２１が形成されている。集塵ケース１２０内は、その上端部に形成された上部空間１２２と、中央部から下端にかけて形成された下部空間１２３とに区画されている。導入口１１２は、集塵ケース１２０の左面に形成され、左右方向に向かって下部空間１２３の上端部に臨んでいる。
【００５０】
下部空間１２３の上端部には、一端が導入口１１２に接続され、水平方向に延びる管状の誘導部材１２４が配置されている。より具体的には、誘導部材１２４は、一端が導入口１１２に接続された左右方向に延びる上流側部分１２４Ａと、この上流側部分１２４Ａの他端から後方に向かって延びる下流側部分１２４Ｂとを備えた略Ｌ字形状に形成されている。上流側部分１２４Ａと下流側部分１２４Ｂとの結合部近傍の内側（内角側）は、集塵ケース１２０の中心軸線上に位置しており、誘導部材１２４内には、集塵ケース１２０の中心軸線に沿って上下方向に延びる略円筒状の円筒フィルタ１２５が配置されている。すなわち、誘導部材１２４は、円筒フィルタ１２５の外周に沿って延設されており、導入口１１２から取り込まれる空気は、円筒フィルタ１２５の外周に沿って流通し、誘導部材１２４の先端に導かれるようになっている。円筒フィルタ１２５は、その外周面に複数の通気口１２６が形成されていて、各通気口１２６はメッシュフィルタ１２７で覆われている。通気口１２６は、誘導部材１２４内の空気の流れ方向に対して略平行方向に開口している。
【００５１】
導入口１１２から取り込まれた空気は、図７および図９において白抜き矢印で示すように、誘導部材１２４内を通って下流側部分１２４Ｂの先端に向かって誘導されることとなるが、その一部が、図７および図９において黒矢印で示すように、通気口１２６からメッシュフィルタ１２７を通って円筒フィルタ１２５内に流入する。一方、導入口１１２から取り込まれた空気に含まれる塵埃は、空気よりも重いため、慣性力によって誘導部材１２４内の外側（外角側）を通って下流側部分１２４Ｂの先端へと導かれる。円筒フィルタ１２５は、誘導部材１２４内の塵埃の流通経路に対してずれた位置に配置されており、導入口１１２から取り込まれた空気に含まれる塵埃は、円筒フィルタ１２５を回避して誘導部材１２４の先端に導かれ、誘導部材１２４の先端部の下面に形成された開口１２４Ｃから下部空間１２３内に放出される。これにより、円筒フィルタ１２５が誘導部材１２４内における塵埃の流通の妨げになるのを防止できる。
【００５２】
集塵ケース１２０内には、一端部（上端部）が円筒フィルタ１２５の下端に接続され、前方側に向かって斜め下方に延びる分岐管１２８が配置されている。通気口１２６からメッシュフィルタ１２７を通って円筒フィルタ１２５内に流入した空気は、分岐管１２８を通って前方に導かれる。下部空間１２３における分岐管１２８の外側の空間は、誘導部材１２４の先端から放出された塵埃を捕獲して溜めておくための捕獲室１２９を構成している。すなわち、集塵ケース１２０（下部空間１２３）の前面には、フィルタ部材１３０が配置されていて、誘導部材１２４から放出されて前方に向かう空気がフィルタ部材１３０を通過する際に、その空気に含まれる塵埃がフィルタ部材１３０によって捕獲され、捕獲室１２９に溜まるようになっている。
【００５３】
集塵ケース１２０の前面には略矩形の開口が形成されていて、その開口は、塵埃が捕獲された後の空気が排出される排気口１１４を構成している。集塵ケース１２０の前端部には、排気口１１４を覆うように、フィルタ部材１３０が着脱可能に取り付けられている。フィルタ部材１３０は、捕獲室１２９に臨む前面視で略矩形のメッシュフィルタ１３１と、このメッシュフィルタ１３１の前方に一定間隔を空けて配置された前面視で略矩形の濾紙フィルタ１３２とを含む。濾紙フィルタ１３２は、排気口１１４に対応する形状の前保持部材１３０Ａによって保持され、メッシュフィルタ１３１は、前保持部材１３０Ａの後面上端部にヒンジ１３３を介して回動可能に取り付けられた後保持部材１３０Ｂによって保持される。後保持部材１３０Ｂは、メッシュフィルタ１３１を保持するために略矩形に枠組みされた枠部材１３０Ｃを備えている。前保持部材１３０Ａには、当該フィルタ部材１３０を集塵ケース１２０に対して着脱する際に把持するための把持部１３０Ｄが備えられていて、この把持部１３０Ｄを把持してフィルタ部材１３０を前方に引き出すことにより、フィルタ部材１３０を集塵ケース１２０から取り外すことができる。
【００５４】
これにより、捕獲室１２９に溜まった塵埃を簡単に捨てられる。また、分岐管１２８に溜まった微小な塵埃も捨てられる。このような構成によれば、フィルタ部材１３０を集塵ケース１２０から取り出して、メッシュフィルタ１３１および濾紙フィルタ１３２に付着した塵埃を除去し、再び集塵ケース１２０に取り付けることにより、フィルタを繰り返し使用することができるので、使い捨ての紙パックで塵埃を捕獲するような構成と比較して経済的である。
【００５５】
濾紙フィルタ１３２は、前面視で略矩形のものに限らず、たとえば、前面視で略円形のものであってもよい。この場合、把持部１３０Ｄを濾紙フィルタ１３２の中央部に結合して、把持部１３０Ｄを回転させることにより、濾紙フィルタ１３２を軸線を中心に回転させることができるようになっていてもよい。このような構成の場合、回転する濾紙フィルタ１３２の周縁部の軌跡上に突出するような突起を設ければ、把持部１３０Ｄを回転させることにより、濾紙フィルタ１３２に備えられた複数枚の濾紙の端部を突起に衝突させて濾紙を振動させ、濾紙に付着している塵埃を振るい落とすことができる。これにより、濾紙フィルタ１３２の目詰まりを解消できる。
【００５６】
フィルタ部材１３０を集塵ケース１２０から取り外した状態では、前保持部材１３０Ａに対してヒンジ１３３を中心に後保持部材１３０Ｂを後方に回動させることができる。メッシュフィルタ１３１と濾紙フィルタ１３２との間には、互いに一定間隔を空けて配置されることによって空間１４８が形成されており、後保持部材１３０Ｂを前保持部材１３０Ａに対して回動させることにより、その空間１４８を解放することができる。後保持部材１３０Ｂを前保持部材１３０Ａに対して回動させて空間１４８を解放し、濾紙フィルタ１３２の後方に別のフィルタを配置して後保持部材１３０Ｂを閉じると、空間１４８内にメッシュフィルタ１３１および濾紙フィルタ１３２以外の別のフィルタを配置することができる。上記の別のフィルタとしては、たとえば、ウレタン製のフィルタのような専用フィルタを用いることもできるし、ティッシュペーパをフィルタとして利用することもできる。このように、メッシュフィルタ１３１と濾紙フィルタ１３２との間の空間１４８に別のフィルタを配置すれば、濾紙フィルタ１３２に塵埃が付着しにくいので、その別のフィルタを交換するだけで容易にメンテナンスを行うことができる。
【００５７】
分岐管１２８の前端部は、フィルタ部材１３０の左右方向中央部の上端部に対向している。誘導部材１２４から捕獲室に流入した空気は、図７において白抜き矢印で示すように、フィルタ部材１３０のうち分岐管１２８が対向している部分以外の部分を通って排気口１１４から排出される。捕獲室１２９から排気口１１４へと向かう空気に含まれる塵埃のうち、比較的大きな塵埃（粗塵）は、メッシュフィルタ１３１によって捕獲されて捕獲室１２９に溜まる一方、メッシュフィルタ１３１を通過した比較的小さな塵埃（細塵）は、濾紙フィルタ１３２によって捕獲されることとなる。一方、分岐管１２８を通って前方に導かれる空気は、その前端からフィルタ部材１３０の上端部に向けて放出され、メッシュフィルタ１３１および濾紙フィルタ１３２を通過して排気口１１４から排出される。
【００５８】
集塵ケース１２０の底面は開口されていて、その開口１４９は、前端部がヒンジ１３３によって回動可能に保持された蓋１５０によって開閉することができるようになっている。集塵ケース１２０の後面下部には、蓋１５０の後端部を係止するための係止爪１４５が取り付けられている。係止爪１４５は、その中央部を中心に前後方向に回動可能であって、集塵ケース１２０の後面に沿って上下方向に延びた状態で、その下端部に形成された爪部１４５Ａを蓋１５０の後端部に係止させることができるようになっている。
【００５９】
集塵ケース１２０の後面には、蓋１５０に対する係止爪１４５の係合を解除するために操作される操作レバー１４６が、上下方向中央部から下端にかけて延びている。この操作レバー１４６を下方に押し下げることにより、操作レバー１４６の下端部で係止爪１４５を回動させ、蓋１５０に対する係止爪１４５の係合を解除することができる。蓋１５０は、係止爪１４５の係合が解除された状態で、ヒンジ１３３を中心に回動可能となる。蓋１５０を回動させて開口１４９を開放することにより、開口１４９を介して捕獲室１２９内に溜まった塵埃を取り出すことができる。
【００６０】
この変形例では、捕獲室１２９に塵埃が多く溜まり、捕獲室１２９内を空気が通過する際の抵抗が大きくなっても、分岐管１２８により空気の流れが確保されている。したがって、集塵装置１１０を通過する空気全体の流れが保たれ、塵埃が溜まっても、掃除の効率（仕事率）が低下しない。
また、誘導部材１２４と円筒フィルタ１２５との接続部に配置されたメッシュフィルタ１２７で塵埃の流入を阻止することができるので、分岐管１２８に塵埃は溜まらず、空気の流れが低下しない。
【００６１】
さらに、捕獲室１２９内を空気が上方から下方へと流れ、塵埃も空気の流れとともに流れて、捕獲室１２９の下方に溜まっていく。したがって、捕獲室１２９内で塵埃は上方から空気で押し下げられて、かさばらないように縮められる。
さらにまた、導入口１１２から入ってくる空気および塵埃は、主として誘導部材１２４内を流れて捕獲室１２９へと入る。分岐管１２８の通気口１２６は、誘導部材１２４内の空気の流れ方向に略平行であるから、塵埃は通気口１２６から分岐管１２８に入らず、流れやすい誘導部材１２４を流れる。また、メッシュフィルタ１２７があることで、塵埃の流入防止がより確実となる。そして、空気の流れを確保するのに必要な空気量だけが通気口１２６から分岐管１２８へと流れる。
【００６２】
また、捕獲室１２９を上方から下方へ向かって流れる空気に含まれる塵埃は、自重で捕獲室１２９の底に溜まっていく。そして、空気は側方のフィルタ部材１３０を通って排気口１１４から排出される。捕獲室１２９内で、塵埃を底から溜めていきつつ、空気の流れを確保でき、集塵力が低下しにくい。
さらに、側面のフィルタ部材１３０は上方位置に塵埃が達しにくく、分岐管１２８から流れる空気がフィルタ部材１３０を通って排気される通路を確保できる。
【００６３】
図１１は、第２変形例に係る集塵装置２１０を前後方向に沿った鉛直面で切断したときの断面を左側から見た断面図である。図１２は、集塵装置２１０の背面図であって、その内部構成を分かりやすくするために、集塵装置２１０の一部を断面図で示している。図１３は、図１１に示す矢印Ｄ−Ｄに沿って見た集塵装置２１０の断面図である。
図１１〜図１３を参照して、集塵装置２１０は、その外形を区画する略円筒状の集塵ケース２２０を備えている。集塵ケース２２０の上端部には、集塵装置２１０を掃除機１に対して着脱する際に把持するための把持部２２１が形成されている。集塵ケース２２０内は、その上端部に形成された上部空間２２２と、中央部から下端にかけて形成された下部空間２２３とに区画されている。導入口２１２は、上部空間２２２に形成されていて、導入口２１２から取り込まれた空気は、集塵ケース２２０の外周面の接線方向に沿って上部空間２２２内に導かれるようになっている。
【００６４】
上部空間２２２には、一端が導入口２１２に接続され、水平方向に延びる管状の誘導部材２２４が配置されている。より具体的には、誘導部材２２４は、一端が導入口２１２に接続された左右方向に延びる上流側部分２２４Ａと、この上流側部分２２４Ａの他端から後方に向かって延びる下流側部分２２４Ｂとを備えた略Ｌ字形状に形成されている。下流側部分２２４Ｂの後端部は、集塵ケース２２０の中心軸線上に位置しており、当該後端部（下端部）において下方に向かって開放している。誘導部材２２４の下端には、下部空間２２３の上端部に配置され、集塵ケース２２０の中心軸線に沿って上下方向に延びる略円筒状の円筒フィルタ２２５の上端が連結されている。円筒フィルタ２２５は、その外周面に複数の通気口２２６が形成されていて、各通気口２２６はメッシュフィルタ２２７で覆われている。通気口２２６は、円筒フィルタ２２５内の空気の流れ方向に対して略平行方向に開口している。
【００６５】
導入口２１２から取り込まれた空気は、図１１および図１２において白抜き矢印で示すように、誘導部材２２４内を通って下方に導かれ、円筒フィルタ２２５内を通ってさらに下方に誘導されることとなるが、その一部が、図１１および図１２において黒矢印で示すように、通気口２２６からメッシュフィルタ２２７を通って円筒フィルタ２２５外に流出する。一方、導入口２１２から取り込まれた空気に含まれる塵埃は、空気よりも重いため、慣性力（自重）によって円筒フィルタ２２５内を通って下方に導かれる。円筒フィルタ２２５の下端には、下方に向かって延びる誘導管２４９の上端が接続されている。誘導管２４９の下端部（先端部）は、下部空間２２３の中央部で後方側に湾曲し、後方に向かって開放している。ただし、誘導管２４９の下端部は、水平方向の他の方向（たとえば、前方など）に向かって開放していてもよいし、下方に向かって開放していてもよい。
【００６６】
下部空間２２３の上端部には、円筒フィルタ２２５の外周を取り囲む分岐路２２８が、水平方向に延びるように区画形成されている。通気口２２６からメッシュフィルタ２２７を通って円筒フィルタ２２５外に流出した空気は、分岐路２２８を通って前方に導かれる。分岐路２２８は、その前端から下方に向かって延び、集塵ケース２２０の前面に沿って底部まで延びている。下部空間２２３における分岐路２２８の外側の空間は、誘導部材２２４の先端から放出された塵埃を捕獲して溜めておくための捕獲室２２９を構成している。すなわち、集塵ケース２２０（下部空間２２３）の底部には、フィルタ部材２３０が配置されていて、誘導管２４９から放出されて下方に向かう空気がフィルタ部材２３０を通過する際に、その空気に含まれる塵埃がフィルタ部材２３０によって捕獲され、捕獲室２２９に溜まるようになっている。
【００６７】
この変形例では、分岐路２２８は、円筒フィルタ２２５の外側を取り囲むように形成されており、円筒フィルタ２２５内の塵埃の流通経路に対してずれた位置に配置されている。したがって、導入口２１２から取り込まれた空気に含まれる塵埃は、円筒フィルタ２２５内を下方に向かって流通することとなり、分岐路２２８が円筒フィルタ２２５内における塵埃の流通の妨げになるのを防止できる。
【００６８】
集塵ケース２２０の底面は開口されていて、その開口は、塵埃が捕獲された後の空気が排出される排気口２１４を構成している。集塵ケース２２０の下端部には、排気口２１４を覆うように、フィルタ部材２３０が着脱可能に取り付けられている。フィルタ部材２３０は、捕獲室２２９に臨む平面視で略円形のメッシュフィルタ２３１と、このメッシュフィルタ２３１の下方に一定間隔を空けて配置された平面視で略円形の濾紙フィルタ２３２とを含む。濾紙フィルタ２３２は、排気口２１４に対応する形状の下保持部材２３０Ａによって保持され、メッシュフィルタ２３１は、下保持部材２３０Ａの上面後端部にヒンジ２３３を介して回動可能に取り付けられた上保持部材２３０Ｂによって保持される。上保持部材２３０Ｂの中央部には、下保持部材２３０Ａに保持された濾紙フィルタ２３２の外周を取り囲むように上方に突出した円筒部２３４が形成されていて、この円筒部２３４の上端開口を覆うようにメッシュフィルタ２３１が取り付けられている。
【００６９】
誘導管２４９の下部には、後方へと湾曲する部分に対して区画され、当該湾曲部から集塵ケース２３０の中心軸線に沿ってさらに下方に延びる管状の延長部２５０が形成されている。延長部２５０の下端部には、フィルタ部材２３０の上保持部材２３０Ｂに形成された円筒部２３４の上端開口に対向する略円形のフランジ部２３５が、径方向に張り出すように形成されている。延長部２５０の下端部から径方向に張り出したフランジ部２３５は、図６において説明した構成と同様の構成であって、フィルタ部材２３０の円筒部２３４の上端面に対応する形状の円環部３６と、この円環部３６の内周面および延長部２５０の外周面を連結する複数（たとえば、４つ）の連結部３７とを含む。各連結部３７は、延長部２５０の下端部の外周面から、互いに周方向に所定角度（たとえば、９０°）ずつ間隔を空けて径方向に向かって延びている。円環部３６の内周面と連結部３７とによって区画される複数（たとえば、４つ）の開口は、捕獲室２２９に流入した空気がフィルタ部材２３０へと向かうための通気口３８を構成している。すなわち、誘導管２４９から捕獲室２２９に流入した空気は、図１１において白抜き矢印で示すように、通気口３８を通ってフィルタ部材２３０に導かれ、メッシュフィルタ２３１および濾紙フィルタ２３２を通過して排気口２１４から排出される。捕獲室２２９から排気口２１４へと向かう空気に含まれる塵埃のうち、比較的大きな塵埃（粗塵）は、メッシュフィルタ２３１によって捕獲されて捕獲室２２９に溜まる一方、メッシュフィルタ２３１を通過した比較的小さな塵埃（細塵）は、濾紙フィルタ２３２によって捕獲されることとなる。
【００７０】
フィルタ部材２３０の上保持部材２３０Ｂに形成された円筒部２３４の前端上部には、通気口２５１が形成されていて、分岐路２２８の先端部（下端部）は、この通気口２５１を介して、メッシュフィルタ２３１と濾紙フィルタ２３２との間に形成された空間２４８に連通している。分岐路２２８を通って下方に導かれる空気は、その下端から通気口２５１を介して上記空間２４８内に流入し、濾紙フィルタ２３２を通過して排気口２１４から排出される。
【００７１】
フランジ部２３５の各連結部３７の下面には、ブラシ部材２３９（たとえば、毛など）が取り付けられていて、このブラシ部材２３９の先端部がメッシュフィルタ２３１の上面に当接している。この変形例では、フィルタ部材２３０および誘導管２４９を一体的に回転させることができるようになっていて、その回転に伴って、フランジ部２３５に取り付けられたブラシ部材２３９の先端部がメッシュフィルタ２３１に摺接するようになっている。より具体的には、円筒フィルタ２２５の上端部は、集塵ケース２２０の上部空間２２２と下部空間２２３とを区画する区画壁２４０を貫通して上部空間２２２に臨んでおり、その外周面に形成されたフランジ部２４１の下面が区画壁２４０の上面に当接することにより、円筒フィルタ２２５および円筒フィルタ２２５に連結された誘導管２４９が回転可能に保持されている。
【００７２】
円筒フィルタ２２５の上端部に形成されたフランジ部２３５の上面の外周縁には、複数の歯が形成されており、集塵ケース２２０の上部空間２２２内には、これらの歯に噛み合うギア２４２が配置されている。ギア２４２は、その軸線が前後方向に延びており、集塵ケース２２０の周面の後端部から外方に張り出したダイヤル２４３に連結されている。ダイヤル２４３を回転させると、ギア２４２を介してフランジ部２３５が回転し、円筒フィルタ２２５および誘導管２４９が回転する。これにより、誘導管２４９の延長部２５０の下端部に形成されたフランジ部２３５を回転させ、このフランジ部２３５に取り付けられたブラシ部材２３９の先端部をメッシュフィルタ２３１に摺接させて、メッシュフィルタ２３１の上面に付着している塵埃を除去し、メッシュフィルタ２３１の目詰まりを解消できるようになっている。
【００７３】
集塵ケース２２０の後端下部には、フィルタ部材２３０（下保持部材２３０Ａ）の後端部を係止するための係止部２４４が形成されている。一方、集塵ケース２２０の外面下部の前端部には、フィルタ部材２３０（下保持部材２３０Ａ）の前端部を係止するための係止爪２４５が取り付けられている。係止爪２４５は、その上端部を中心に前後方向に回動可能であって、集塵ケース２２０の外周面に沿って上下方向に延びた状態で、その下端部に形成された爪部２４５Ａをフィルタ部材２３０の前端部に係止させることができるようになっている。
【００７４】
集塵ケース２２０の外面の前端部には、フィルタ部材２３０に対する係止爪２４５の係合を解除するために操作される操作レバー２４６が、上下方向中央部から下端にかけて延びている。操作レバー２４６の下端部は、集塵ケース２２０の外周面と係止爪２４５との間に挿入されている。操作レバー２４６は、その上端部に配置されたばね２４７によって上方に向かって付勢されている。操作レバー２４６をばね２４７の付勢力に抗して下方に押し下げることにより、操作レバー２４６の下端部に形成された傾斜面２４６Ａで係止爪２４５を前方に押し出し、フィルタ部材２３０に対する係止爪２４５の係合を解除することができる。フィルタ部材２３０は、係止爪２４５の係合が解除された状態で、集塵ケース２２０から取り外すことができる。
【００７５】
フィルタ部材２３０を集塵ケース２２０から取り外すことにより、排気口２１４を開放し、排気口２１４を介して捕獲室２２９内に溜まった塵埃を簡単に捨てられる。また、分岐路２２８に溜まった微小な塵埃も捨てられる。このような構成によれば、フィルタ部材２３０を集塵ケース２２０から取り出して、メッシュフィルタ２３１および濾紙フィルタ２３２に付着した塵埃を除去し、再び集塵ケース２２０に取り付けることにより、フィルタを繰り返し使用することができるので、使い捨ての紙パックで塵埃を捕獲するような構成と比較して経済的である。
【００７６】
フィルタ部材２３０を集塵ケース２２０から取り外した状態では、下保持部材２３０Ａに対してヒンジ２３３を中心に上保持部材２３０Ｂを上方に回動させることができる。メッシュフィルタ２３１と濾紙フィルタ２３２との間には、互いに一定間隔を空けて配置されることによって空間２４８が形成されており、上保持部材２３０Ｂを下保持部材２３０Ａに対して回動させることにより、その空間２４８を解放することができる。上保持部材２３０Ｂを下保持部材２３０Ａに対して回動させて空間２４８を解放し、濾紙フィルタ２３２の上方に別のフィルタを配置して上保持部材２３０Ｂを閉じると、空間２４８内にメッシュフィルタ２３１および濾紙フィルタ２３２以外の別のフィルタを配置することができる。上記の別のフィルタとしては、たとえば、ウレタン製のフィルタのような専用フィルタを用いることもできるし、ティッシュペーパをフィルタとして利用することもできる。このように、メッシュフィルタ２３１と濾紙フィルタ２３２との間の空間２４８に別のフィルタを配置すれば、濾紙フィルタ２３２に塵埃が付着しにくいので、その別のフィルタを交換するだけで容易にメンテナンスを行うことができる。
【００７７】
この変形例では、捕獲室２２９に塵埃が多く溜まり、捕獲室２２９内を空気が通過する際の抵抗が大きくなっても、分岐路２２８により空気の流れが確保されている。したがって、集塵装置２１０を通過する空気全体の流れが保たれ、塵埃が溜まっても、掃除の効率（仕事率）が低下しない。
また、分岐路２２８と円筒フィルタ２２５との接続部に配置されたメッシュフィルタ２２７で塵埃の流入を阻止することができるので、分岐路２２８に塵埃は溜まらず、空気の流れが低下しない。
【００７８】
さらに、捕獲室２２９内を空気が上方から下方へと流れ、塵埃も空気の流れとともに流れて、捕獲室２２９の下方に溜まっていく。したがって、捕獲室２２９内で塵埃は上方から空気で押し下げられて、かさばらないように縮められる。
さらにまた、導入口２１２から入ってくる空気および塵埃は、主として円筒フィルタ２２５内を流れて捕獲室２２９へと入る。分岐路２２８の通気口２２６は、円筒フィルタ２２５内の空気の流れ方向に略平行であるから、塵埃は通気口２２６から分岐路２２８に入らず、流れやすい円筒フィルタ２２５を流れる。また、メッシュフィルタ２２７があることで、塵埃の流入防止がより確実となる。そして、空気の流れを確保するのに必要な空気量だけが通気口２２６から分岐路２２８へと流れる。
【００７９】
また、捕獲室２２９を上方から下方に向かって流れる空気は、そのまま下方のフィルタ部材２３０を通り排気口２１４から下方へ排気されるので、捕獲室２２９内の空気の流れが単純で、仕事率が低下しない。
さらに、分岐路２２８内の空気の流れが捕獲室２２９の空気の流れと同じ方向であり、スムーズに空気が流れ、仕事率が低下しない。
【００８０】
さらにまた、分岐路２２８の出口は、フィルタ部材２３０に対して、捕獲室２２９を通った空気が通過する位置と異なる位置に臨んでいるので、フィルタ部材２３０の手前に多くの塵埃が溜まっても、分岐路２２８からフィルタ部材２３０を通って排気口２１４へ流れる空気の流れを確保できる。
図１４は、第３変形例に係る集塵装置３１０を前後方向に沿った鉛直面で切断したときの断面を左側から見た断面図である。図１５は、集塵装置３１０の背面図であって、その内部構成を分かりやすくするために、集塵装置３１０の一部を断面図で示している。図１６は、図１４に示す矢印Ｅ−Ｅに沿って見た集塵装置３１０の断面図であり、図１７は、図１４に示す矢印Ｆ−Ｆに沿って見た集塵装置３１０の断面図である。
【００８１】
図１４〜図１７を参照して、この変形例に係る集塵装置３１０は、その外形を区画する平面視で略矩形の集塵ケース３２０を備えている。集塵ケース３２０の上端部には、集塵装置３１０を掃除機１に対して着脱する際に把持するための把持部３２１が形成されている。集塵ケース３２０内は、その上端部に形成された上部空間３２２と、中央部から下端にかけて形成された下部空間３２３とに区画されている。導入口３１２は、集塵ケース３２０の左面に形成され、左右方向に向かって下部空間３２３の上端部に臨んでいる。
【００８２】
下部空間３２３の上端部には、一端が導入口３１２に接続され、水平方向に延びる管状の誘導部材３２４が配置されている。より具体的には、誘導部材３２４は、一端が導入口３１２に接続された左右方向に延びる上流側部分３２４Ａと、この上流側部分３２４Ａの他端から後方に向かって延びる下流側部分３２４Ｂとを備えた略Ｌ字形状に形成されている。下流側部分３２４Ｂの後端部は、集塵ケース３２０の後端部に位置しており、当該後端部（下端部）において下方に向かって開放している。誘導部材３２４の上流側部分３２４Ａの途中には、略円筒状の円筒フィルタ３２５が介装されている。円筒フィルタ３２５は、その外周面に複数の通気口３２６が形成されていて、各通気口３２６はメッシュフィルタ３２７で覆われている。通気口３２６は、円筒フィルタ３２５内の空気の流れ方向に対して略平行方向に開口している。
【００８３】
導入口３１２から取り込まれた空気は、図１４〜図１６において白抜き矢印で示すように、誘導部材３２４内を通って下流側部分３２４Ｂの先端に向かって誘導されることとなるが、その一部が、図１５および図１６において黒矢印で示すように、通気口３２６からメッシュフィルタ３２７を通って円筒フィルタ３２５外に流出する。一方、導入口３１２から取り込まれた空気に含まれる塵埃は、空気よりも重いため、慣性力によって円筒フィルタ３２５内を通って下流側部分３２４Ｂの先端へと導かれる。
【００８４】
下部空間３２３の上端部には、誘導部材３２４の外側を取り囲む分岐路３２８が、水平方向に延びるように区画形成されている。通気口３２６からメッシュフィルタ３２７を通って円筒フィルタ３２５外に流出した空気は、分岐路３２８を通って前端部から下方に導かれる。下部空間３２３における分岐路３２８の外側の空間は、誘導部材３２４の先端から放出された塵埃を捕獲して溜めておくための捕獲室３２９を構成している。すなわち、集塵ケース３２０（下部空間３２３）の前面には、フィルタ部材３３０が配置されていて、誘導部材３２４から放出されて前方に向かう空気がフィルタ部材３３０を通過する際に、その空気に含まれる塵埃がフィルタ部材３３０によって捕獲され、捕獲室３２９に溜まるようになっている。
【００８５】
この変形例では、分岐路３２８は、誘導部材３２４および円筒フィルタ３２５の外側を取り囲むように形成されており、円筒フィルタ３２５内の塵埃の流通経路に対してずれた位置に配置されている。したがって、導入口３１２から取り込まれた空気に含まれる塵埃は、円筒フィルタ３２５内を後方に向かって流通することとなり、分岐路３２８が円筒フィルタ３２５内における塵埃の流通の妨げになるのを防止できる。
【００８６】
集塵ケース３２０の前面には略矩形の開口が形成されていて、その開口は、塵埃が捕獲された後の空気が排出される排気口３１４を構成している。集塵ケース３２０の前端部には、排気口３１４を覆うように、フィルタ部材３３０が着脱可能に取り付けられている。フィルタ部材３３０は、捕獲室３２９に臨む前面視で略矩形のメッシュフィルタ３３１と、このメッシュフィルタ３３１の前方に一定間隔を空けて配置された前面視で略矩形の濾紙フィルタ３３２とを含む。濾紙フィルタ３３２は、排気口３１４に対応する形状の前保持部材３３０Ａによって保持され、メッシュフィルタ３３１は、前保持部材３３０Ａの後面上端部にヒンジ３３３を介して回動可能に取り付けられた後保持部材３３０Ｂによって保持される。前保持部材３３０Ａには、当該フィルタ部材３３０を集塵ケース３２０に対して着脱する際に把持するための把持部３３０Ｄが備えられていて、この把持部３３０Ｄを把持してフィルタ部材３３０を前方に引き出すことにより、フィルタ部材３３０を集塵ケース３２０から取り外すことができる。
【００８７】
これにより、捕獲室３２９に溜まった塵埃を簡単に捨てられる。また、分岐路３２８に溜まった微小な塵埃も捨てられる。このような構成によれば、フィルタ部材３３０を集塵ケース３２０から取り出して、メッシュフィルタ３３１および濾紙フィルタ３３２に付着した塵埃を除去し、再び集塵ケース３２０に取り付けることにより、フィルタを繰り返し使用することができるので、使い捨ての紙パックで塵埃を捕獲するような構成と比較して経済的である。
【００８８】
濾紙フィルタ３３２は、前面視で略矩形のものに限らず、たとえば、前面視で略円形のものであってもよい。この場合、把持部３３０Ｄを濾紙フィルタ３３２の中央部に結合して、把持部３３０Ｄを回転させることにより、濾紙フィルタ３３２を軸線を中心に回転させることができるようになっていてもよい。このような構成の場合、回転する濾紙フィルタ３３２の周縁部の軌跡上に突出するような突起を設ければ、把持部３３０Ｄを回転させることにより、濾紙フィルタ３３２に備えられた複数枚の濾紙の端部を突起に衝突させて濾紙を振動させ、濾紙に付着している塵埃を振るい落とすことができる。これにより、濾紙フィルタ３３２の目詰まりを解消できる。
【００８９】
フィルタ部材３３０を集塵ケース３２０から取り外した状態では、前保持部材３３０Ａに対してヒンジ３３３を中心に後保持部材３３０Ｂを後方に回動させることができる。メッシュフィルタ３３１と濾紙フィルタ３３２との間には、互いに一定間隔を空けて配置されることによって空間３４８が形成されており、後保持部材３３０Ｂを前保持部材３３０Ａに対して回動させることにより、その空間３４８を解放することができる。後保持部材３３０Ｂを前保持部材３３０Ａに対して回動させて空間３４８を解放し、濾紙フィルタ３３２の後方に別のフィルタを配置して後保持部材３３０Ｂを閉じると、空間３４８内にメッシュフィルタ３３１および濾紙フィルタ３３２以外の別のフィルタを配置することができる。上記の別のフィルタとしては、たとえば、ウレタン製のフィルタのような専用フィルタを用いることもできるし、ティッシュペーパをフィルタとして利用することもできる。このように、メッシュフィルタ３３１と濾紙フィルタ３３２との間の空間に別のフィルタを配置すれば、濾紙フィルタ３３２に塵埃が付着しにくいので、その別のフィルタを交換するだけで容易にメンテナンスを行うことができる。
【００９０】
誘導部材３２４から捕獲室３２９に流入した空気は、図１４において白抜き矢印で示すように、フィルタ部材３３０を通って排気口３１４から排出される。捕獲室３２９から排気口３１４へと向かう空気に含まれる塵埃のうち、比較的大きな塵埃（粗塵）は、メッシュフィルタ３３１によって捕獲されて捕獲室３２９に溜まる一方、メッシュフィルタ３３１を通過した比較的小さな塵埃（細塵）は、濾紙フィルタ３３２によって捕獲されることとなる。
【００９１】
フィルタ部材３３０の前保持部材３３０Ａの上部には、通気口３５１が形成されていて、分岐路３２８の前端下部は、この通気口３５１を介して、メッシュフィルタ３３１と濾紙フィルタ３３２との間に形成された空間３４８に連通している。分岐路３２８を通って導かれる空気は、その前端下端から通気口３５１を介して上記空間３４８内に流入し、濾紙フィルタ３３２を通過して排気口３１４から排出される。
【００９２】
集塵ケース３２０の底面は開口されていて、その開口は、前端部がヒンジ３３３によって回動可能に保持された蓋３５０によって開閉することができるようになっている。集塵ケース３２０の後面下部には、蓋３５０の後端部を係止するための係止爪３４５が取り付けられている。係止爪３４５は、その中央部を中心に前後方向に回動可能であって、集塵ケース３２０の後面に沿って上下方向に延びた状態で、その下端部に形成された爪部３４５Ａを蓋３５０の後端部に係止させることができるようになっている。
【００９３】
集塵ケース３２０の後面には、蓋３５０に対する係止爪３４５の係合を解除するために操作される操作レバー３４６が、上下方向中央部から下端にかけて延びている。この操作レバー３４６を下方に押し下げることにより、操作レバー３４６の下端部で係止爪３４５を回動させ、蓋３５０に対する係止爪３４５の係合を解除することができる。蓋３５０は、係止爪３４５の係合が解除された状態で、ヒンジ３３３を中心に回動可能となる。蓋３５０を回動させて開口３４９を開放することにより、開口３４９を介して捕獲室３２９内に溜まった塵埃を取り出すことができる。
【００９４】
この変形例では、捕獲室３２９に塵埃が多く溜まり、捕獲室３２９内を空気が通過する際の抵抗が大きくなっても、分岐路３２８により空気の流れが確保されている。したがって、集塵装置３１０を通過する空気全体の流れが保たれ、塵埃が溜まっても、掃除の効率（仕事率）が低下しない。
また、分岐路３２８と円筒フィルタ３２５との接続部に配置されたメッシュフィルタ３２７で塵埃の流入を阻止することができるので、分岐路３２８に塵埃は溜まらず、空気の流れが低下しない。
【００９５】
さらに、捕獲室３２９内を空気が上方から下方へと流れ、塵埃も空気の流れとともに流れて、捕獲室３２９の下方に溜まっていく。したがって、捕獲室３２９内で塵埃は上方から空気で押し下げられて、かさばらないように縮められる。
さらにまた、導入口３１２から入ってくる空気および塵埃は、主として円筒フィルタ３２５内を流れて捕獲室３２９へと入る。分岐路３２８の通気口３２６は、円筒フィルタ３２５内の空気の流れ方向に略平行であるから、塵埃は通気口３２６から分岐路３２８に入らず、流れやすい円筒フィルタ３２５を流れる。また、メッシュフィルタ３２７があることで、塵埃の流入防止がより確実となる。そして、空気の流れを確保するのに必要な空気量だけが通気口３２６から分岐路３２８へと流れる。
【００９６】
また、捕獲室３２９を上方から下方へ向かって流れる空気に含まれる塵埃は、自重で捕獲室３２９の底に溜まっていく。そして、空気は側方のフィルタ部材３３０を通って排気口３１４から排出される。捕獲室３２９内で、塵埃を底から溜めていきつつ、空気の流れを確保でき、集塵力が低下しにくい。
さらに、側面のフィルタ部材３３０は上方位置に塵埃が達しにくく、分岐路３２８から流れる空気がフィルタ部材３３０を通って排気される通路を確保できる。
【００９７】
図１８は、第４変形例に係る集塵装置４１０を前後方向に沿った鉛直面で切断したときの断面を左側から見た断面図である。図１９は、集塵装置４１０の背面図であって、その内部構成を分かりやすくするために、集塵装置４１０の一部を断面図で示している。図２０は、図１８に示す矢印Ｇ−Ｇに沿って見た集塵装置４１０の断面図である。
図１８〜図２０を参照して、集塵装置４１０は、その外形を区画する略円筒状の集塵ケース４２０を備えている。集塵ケース４２０の上端部には、集塵装置４１０を掃除機１に対して着脱する際に把持するための把持部４２１が形成されている。集塵ケース４２０内は、その上端部に形成された上部空間４２２と、中央部から下端にかけて形成された下部空間４２３とに区画されている。導入口４１２は、下部空間４２３の上端部に形成されていて、導入口４１２から取り込まれた空気は、集塵ケース４２０の外周面の接線方向に沿って下部空間４２３内に導かれるようになっている。
【００９８】
下部空間４２３の上端部には、一端が導入口４１２に接続され、水平方向に延びる管状の誘導部材４２４が配置されている。より具体的には、誘導部材４２４は、一端が導入口４１２に接続された左右方向に延びる上流側部分４２４Ａと、この上流側部分４２４Ａの他端から後方に向かって延びる下流側部分４２４Ｂとを備えた略Ｌ字形状に形成されている。下流側部分４２４Ｂの後端部は、集塵ケース４２０の中心軸線上に位置しており、当該後端部において後方に向かって開放している。誘導部材４２４の下流側部分４２４Ｂの途中には、略円筒状の円筒フィルタ４２５が介装されている。円筒フィルタ４２５は、その外周面に複数の通気口４２６が形成されていて、各通気口４２６はメッシュフィルタ４２７で覆われている。通気口４２６は、円筒フィルタ４２５内の空気の流れ方向に対して略平行方向に開口している。
【００９９】
導入口４１２から取り込まれた空気は、図１８および図２０において白抜き矢印で示すように、誘導部材４２４内を通って下流側部分４２４Ｂの先端に向かって誘導されることとなるが、その一部が、図１８および図２０において黒矢印で示すように、通気口４２６からメッシュフィルタ４２７を通って円筒フィルタ４２５外に流出する。一方、導入口４１２から取り込まれた空気に含まれる塵埃は、空気よりも重いため、慣性力によって円筒フィルタ４２５内を通って下流側部分４２４Ｂの先端へと導かれる。
【０１００】
下部空間４２３は、左右方向に延びる区画壁４４９によって前後２つの空間に区画されている。これらの２つの空間のうち、後側の空間は、誘導部材４２４の先端から放出された塵埃を捕獲して溜めておくための捕獲室４２９を構成しており、前側の空間は、円筒フィルタ４２５の外側を取り囲む分岐路４２８を構成している。通気口４２６からメッシュフィルタ４２７を通って円筒フィルタ４２５外に流出した空気は、分岐路４２８を通って下方に導かれる。集塵ケース４２０（下部空間４２３）の底部には、フィルタ部材４３０が配置されていて、誘導部材４２４から放出されて下方に向かう空気がフィルタ部材４３０を通過する際に、その空気に含まれる塵埃がフィルタ部材４３０によって捕獲され、捕獲室４２９に溜まるようになっている。
【０１０１】
この変形例では、分岐路４２８は、誘導部材４２４および円筒フィルタ４２５の外側を取り囲むように形成されており、円筒フィルタ４２５内の塵埃の流通経路に対してずれた位置に配置されている。したがって、導入口４１２から取り込まれた空気に含まれる塵埃は、円筒フィルタ４２５内を後方に向かって流通することとなり、分岐路４２８が円筒フィルタ４２５内における塵埃の流通の妨げになるのを防止できる。
【０１０２】
集塵ケース４２０の底面は開口されていて、その開口は、塵埃が捕獲された後の空気が排出される排気口４１４を構成している。集塵ケース４２０の下端部には、排気口４１４を覆うように、フィルタ部材４３０が着脱可能に取り付けられている。フィルタ部材４３０は、捕獲室４２９および分岐路４２８に臨む平面視で略円形のメッシュフィルタ４３１と、このメッシュフィルタ４３１の下方に一定間隔を空けて配置された平面視で略円形の濾紙フィルタ４３２とを含む。図２１は、フィルタ部材４３０の平面図であって、この図２１に示すように、フィルタ部材４３０の上端部には、円環部４５０と、この円環部４５０の内周面に略十文字状に掛け渡された連結部４５１とが形成されている。連結部４５１は、左右方向に延びる左右連結部４５１Ａと、前後方向に延びる前後連結部４５１Ｂとを含む。円環部４５０の内周面と連結部４５１とによって区画される複数（たとえば、４つ）の開口は、通気口４３８を構成している。
【０１０３】
フィルタ部材４３０が集塵ケース４２０に取り付けられた状態では、区画壁４４９の下端面が左右連結部４５１Ａの上面に当接する。これにより、捕獲室４２９に流入した空気は、４つの通気口４３８のうちの後側２つの通気口４３８を通ってフィルタ部材４３０内に流入し、分岐路４２８に流入した空気は、４つの通気口４３８のうちの前側２つの通気口４３８を通ってフィルタ部材４３０内に流入するようになっている。捕獲室４２９から排気口４１４へと向かう空気に含まれる塵埃のうち、比較的大きな塵埃（粗塵）は、メッシュフィルタ４３１によって捕獲されて捕獲室４２９に溜まる一方、メッシュフィルタ４３１を通過した比較的小さな塵埃（細塵）は、濾紙フィルタ４３２によって捕獲されることとなる。
【０１０４】
集塵ケース４２０の後端下部には、フィルタ部材４３０の後端部を係止するための係止部４４４が形成されている。一方、集塵ケース４２０の外面下部の前端部には、フィルタ部材４３０の前端部を係止するための係止爪４４５が取り付けられている。係止爪４４５は、その上端部を中心に前後方向に回動可能であって、集塵ケース４２０の外周面に沿って上下方向に延びた状態で、その下端部に形成された爪部４４５Ａをフィルタ部材４３０の前端部に係止させることができるようになっている。
【０１０５】
集塵ケース４２０の外面の前端部には、フィルタ部材４３０に対する係止爪４４５の係合を解除するために操作される操作レバー４４６が、上下方向中央部から下端にかけて延びている。操作レバー４４６の下端部は、集塵ケース４２０の外周面と係止爪４４５との間に挿入されている。操作レバー４４６は、その上端部に配置されたばね４４７によって上方に向かって付勢されている。操作レバー４４６をばね４４７の付勢力に抗して下方に押し下げることにより、操作レバー４４６の下端部に形成された傾斜面４４６Ａで係止爪４４５を前方に押し出し、フィルタ部材４３０に対する係止爪４４５の係合を解除することができる。フィルタ部材４３０は、係止爪４４５の係合が解除された状態で、集塵ケース４２０から取り外すことができる。
【０１０６】
フィルタ部材４３０を集塵ケース４２０から取り外すことにより、排気口４１４を開放し、排気口４１４を介して捕獲室４２９内に溜まった塵埃を簡単に捨てられる。また、分岐路４２８に溜まった微小な塵埃も捨てられる。このような構成によれば、フィルタ部材４３０を集塵ケース４２０から取り出して、メッシュフィルタ４３１および濾紙フィルタ４３２に付着した塵埃を除去し、再び集塵ケース４２０に取り付けることにより、フィルタを繰り返し使用することができるので、使い捨ての紙パックで塵埃を捕獲するような構成と比較して経済的である。
【０１０７】
フィルタ部材４３０を集塵ケース４２０に取り付ける際、フィルタ部材４３０（メッシュフィルタ４３１）の上方に別のフィルタを配置すれば、区画壁４４９の下端面とフィルタ部材４３０の上面との間にメッシュフィルタ４３１および濾紙フィルタ４３２以外の別のフィルタを挟持することができる。上記の別のフィルタとしては、たとえば、ウレタン製のフィルタのような専用フィルタを用いることもできるし、ティッシュペーパをフィルタとして利用することもできる。このように、フィルタ部材４３０の上方に別のフィルタを配置すれば、フィルタ部材４３０（メッシュフィルタ４３１および濾紙フィルタ４３２）に塵埃が付着しにくいので、その別のフィルタを交換するだけで容易にメンテナンスを行うことができる。
【０１０８】
この変形例では、捕獲室４２９に塵埃が多く溜まり、捕獲室４２９内を空気が通過する際の抵抗が大きくなっても、分岐路４２８により空気の流れが確保されている。したがって、集塵装置４１０を通過する空気全体の流れが保たれ、塵埃が溜まっても、掃除の効率（仕事率）が低下しない。
また、分岐路４２８と円筒フィルタ４２５との接続部に配置されたメッシュフィルタ４２７で塵埃の流入を阻止することができるので、分岐路４２８に塵埃は溜まらず、空気の流れが低下しない。
【０１０９】
さらに、捕獲室４２９内を空気が上方から下方へと流れ、塵埃も空気の流れとともに流れて、捕獲室４２９の下方に溜まっていく。したがって、捕獲室４２９内で塵埃は上方から空気で押し下げられて、かさばらないように縮められる。
さらにまた、導入口４１２から入ってくる空気および塵埃は、主として円筒フィルタ４２５内を流れて捕獲室４２９へと入る。分岐路４２８の通気口４２６は、円筒フィルタ４２５内の空気の流れ方向に略平行であるから、塵埃は通気口４２６から分岐路４２８に入らず、流れやすい円筒フィルタ４２５を流れる。また、メッシュフィルタ４２７があることで、塵埃の流入防止がより確実となる。そして、空気の流れを確保するのに必要な空気量だけが通気口４２６から分岐路４２８へと流れる。
【０１１０】
また、捕獲室４２９を上方から下方に向かって流れる空気は、そのまま下方のフィルタ部材４３０を通り排気口４１４から下方へ排気されるので、捕獲室４２９内の空気の流れが単純で、仕事率が低下しない。
さらに、分岐路４２８内の空気の流れが捕獲室４２９の空気の流れと同じ方向であり、スムーズに空気が流れ、仕事率が低下しない。
【０１１１】
さらにまた、分岐路４２８の出口は、フィルタ部材４３０に対して、捕獲室４２９を通った空気が通過する位置と異なる位置に臨んでいるので、フィルタ部材４３０の手前に多くの塵埃が溜まっても、分岐路４２８からフィルタ部材４３０を通って排気口４１４へ流れる空気の流れを確保できる。
図２２および図２３は、この発明の第２実施形態に係る掃除機５０１の構成を示す外観図である。図２２は左側面図、図２３は背面図をそれぞれ示しており、掃除機５０１の内部構成を分かりやすくするために、それぞれ掃除機５０１の一部を断面図で示している。
【０１１２】
図２２および図２３を参照して、この掃除機５０１は、床面を転がる複数の車輪５０２を備えた吸込部５０３と、この吸込部５０３に対して一端部（下端部）が回動可能に取り付けられた長尺形状の本体５０４とを備え、本体５０４の他端部（上端部）に形成されたハンドル５０５を把持して、本体５０４を鉛直方向に対して後方に若干傾けた姿勢で使用することができる、いわゆるアップライト型（縦型）の掃除機である。この掃除機５０１は、使用しないときには、吸込部５０３に対して本体５０４を鉛直方向に起立させた姿勢（図２２および図２３に示す姿勢）で保持しておくことができる。
【０１１３】
吸込部５０３の底面前側には、吸込口５０６が形成されている。吸込部５０３の内部後側には、モータと、このモータによって回転駆動されるファンとを含む電動送風機５０７が配置されている。この掃除機５０１を用いて掃除を行う際には、本体５０４（たとえば、後述する下部材５０４Ａの上端部）に備えられた電源スイッチ５０８を操作して電動送風機５０７の駆動を開始させることにより、吸込口５０６の外側の空気とともに、吸込口５０６に対向する床面上の塵埃が吸込口５０６から吸込部５０３内に吸引されるようになっている。吸込部５０３の内部前側には、左右方向に延びる回転軸５０９Ａを中心に回転可能な回転ブラシ５０９が配置されており、この回転ブラシ５０９の外周面が吸込口５０６に臨んでいる。電動送風機５０７が駆動されると、吸込口５０６から吸込部５０３内に吸引される空気の風圧によって回転ブラシ５０９が回転され、吸込口５０６から吸込部５０３内への塵埃の流入を補助することができるとともに、回転ブラシ５０９によって吸込口５０６からの異物の流入を防止することができる。ただし、回転ブラシ５０９は、モータにより回転駆動されるようになっていてもよい。
【０１１４】
本体５０４には、吸込部５０３から吸引した空気に含まれる塵埃を捕獲するための集塵装置５１０が着脱可能に取り付けられている。本体５０４には、吸込部５０３の上方に位置し、集塵装置５１０を保持する下部材５０４Ａと、この下部材５０４Ａの上端部に一端部（下端部）が挿入され、上方に向かうにつれて後方側に傾斜するように湾曲した上部材５０４Ｂとが備えられ、全体として上下に長尺形状に形成されている。上部材５０４Ｂの前面上部には、アーチ状のハンドル５０５の両端部が連結されており、このハンドル５０５を把持して、本体５０４が延びる方向に沿って力を加えることにより、本体５０４および本体５０４に連結された吸込部５０３に推進力を与え、車輪５０２の回転を伴って掃除機５０１を移動させることができる。上部材５０４Ｂの後面には、その上端部および下端部にコード巻き付け部５１１が突出形成されていて、掃除機５０１を使用しないときや、掃除機５０１の使用時に電源コードが長すぎる場合などには、２つのコード巻き付け部５１１に電源コードを掛け渡すようにして巻き付けておくことができる。
【０１１５】
集塵装置５１０には導入口５１２が形成されていて、吸込部５０３に一端部が連結されたホース５１３の他端部が、集塵装置５１０の導入口５１２に接続されている。これにより、吸込口５０６から吸込部５０３に吸引された空気および塵埃は、ホース５１３内を通って集塵装置５１０側へと送られ、導入口５１２から集塵装置５１０内に取り込まれるようになっている。集塵装置５１０内に取り込まれた塵埃を含む空気は、集塵装置５１０内を通過する過程で塵埃が捕獲され、集塵装置５１０の底面に形成された排気口５１４から下方に向かって排出される。本体５０４の下部材５０４Ａ内には、集塵装置５１０の排気口５１４から排出された空気を前方側へと導く誘導路５１５が形成されていて、この誘導路５１５を通って前方側へと導かれた空気は、排気フィルタ５１６を通って機外に排出される。
【０１１６】
図２４は、集塵装置５１０を左右方向に沿った鉛直面で切断したときの断面を後側から見た断面図である。図２５は、集塵装置５１０を前後方向に沿った鉛直面で切断したときの断面を左側から見た断面図である。図２６は、集塵装置５１０の分解断面図である。
図２４〜図２６を参照して、集塵装置５１０は、その外形を区画する略円筒状の集塵ケース５２０を備えている。集塵ケース５２０の上端部には、集塵装置５１０を掃除機５０１に対して着脱する際に把持するための把持部５２１が形成されている。集塵ケース５２０は、上端部に把持部５２１が形成された上ケース５２０Ａと、この上ケース５２０Ａに下方から同一軸線上に取り付けられる下ケース５２０Ｂとを含む。上ケース５２０Ａ内は、その上部に形成された上部空間５２２と、下部に形成された下部空間５２３とに区画されている。
【０１１７】
下ケース５２０Ｂは、略円筒状の部材であって、その上端部に導入口５１２が形成されている。導入口５１２から取り込まれる空気は、下ケース５２０Ｂの外周面の接線方向に沿って流入し、下ケース５２０Ｂ内を高速で旋回するようになっている。下ケース５２０Ｂの上面には、平面視で略円形の凹部５５１が形成され、この凹部５５１の底面の中央部には開口５５２が形成されている。下ケース５２０Ｂ内には、その中心軸線に沿って管状部材５２８が上下方向に延設されている。この管状部材５２８は、開口５５２を貫通して上方まで延びており、その上端には径方向に張り出したフランジ部５２８Ａが形成されている。
【０１１８】
開口５５２の周縁部の上方には、略円筒状の円筒フィルタ５２５が配置されている。この円筒フィルタ５２５は、略円筒状の部材の外周面に複数の小孔（丸孔やスリットなど）を形成することにより構成されている。円筒フィルタ５２５は、開口５５２の周縁部と管状部材５２８のフランジ部５２８Ａの周縁部とによって挟持されている。管状部材５２８の外周面には、螺旋状に突出するリブ５２８Ｂが形成されている。
【０１１９】
導入口５１２から下ケース５２０Ｂ内に取り込まれた空気は、下ケース５２０Ｂ内を高速で旋回した後、上昇して円筒フィルタ５２５を通過する。この際、導入口５１２から取り込まれた空気に含まれる塵埃のうち、比較的大きな塵埃（粗塵）は、円筒フィルタ５２５によって捕獲され、下ケース５２０Ｂ内に溜まることとなる。
上ケース５２０Ａの下部空間５２３には、その中心軸線に沿って略円筒状の円筒フィルタ５３１が配置されている。円筒フィルタ５３１は、たとえば、樹脂製の本体５３１Ａを含み、この本体５３１Ａの外周面には螺旋状に突出するリブ５３１Ｂが形成されている。本体５３１Ａの下部には、リブ５３１Ｂ以外の部分に開口が形成されていて、この開口がメッシュフィルタ５３１Ｃによって覆われている。上ケース５２０Ａと下ケース５２０Ｂとを連結した状態では、円筒フィルタ５３１の本体５３１Ａの下端部が下ケース５２０Ｂの凹部５５１内に入り込んだ状態で、その下端面が、管状部材５２８のフランジ部５２８Ａの周縁部に当接するようになっている。円筒フィルタ５３１内には、互いに対面するように略円筒形状に配置された複数枚の濾紙を含む濾紙フィルタ５３２が配置されている。上ケース５２０Ａと下ケース５２０Ｂとを連結した状態では、濾紙フィルタ５３２の下端面が、管状部材５２８の上端面（フランジ部５２８Ａの内周縁部）に当接するようになっている。
【０１２０】
下ケース５２０Ｂの円筒フィルタ５２５を通過した空気は、上ケース５２０Ａと下ケース５２０Ｂとを連結することによって閉塞された上ケース５２０Ａの下部空間５２３内に流入し、円筒フィルタ５３１のメッシュフィルタ５３１Ｃを通過した後、円筒フィルタ５３１内に配置された濾紙フィルタ５３２を通過する。この際、粗塵が除去された後の空気に含まれる比較的小さな塵埃（細塵）が、メッシュフィルタ５３１Ｃおよび濾紙フィルタ５３２によって捕獲されることとなる。細塵が捕獲された後の空気は、濾紙フィルタ５３２内から下ケース５２０Ｂの管状部材５２８を通って、当該管状部材５２８の下端から排出される。この管状部材５２８の下端は、塵埃が捕獲された後の空気を集塵装置５１０外に排出するための排気口５１４を形成している。
【０１２１】
下ケース５２０Ｂの底面は開口されていて、その開口は、蓋５５０によって開閉することができるようになっている。蓋５５０の中央部には、開口５５０Ａが形成されていて、蓋５５０を閉じた状態では、管状部材５２８の下端部が開口５５０Ａ内に嵌入され、下方に張り出した状態となる。下ケース５２０Ｂの後面下部には、蓋５５０の後端部を係止するための係止部５４４が形成されている。一方、下ケース５２０Ｂの外面下部の前端部には、蓋５５０の前端部を係止するための係止爪５４５が取り付けられている。係止爪５４５は、その上端部を中心に前後方向に回動可能であって、下ケース５２０Ｂの外周面に沿って上下方向に延びた状態で、その下端部に形成された爪部５４５Ａを蓋５５０の前端部に係止させることができるようになっている。
【０１２２】
下ケース５２０Ｂの外面の前端部には、蓋５５０に対する係止爪５４５の係合を解除するために操作される操作レバー５４６が、上端から下端にかけて延びている。操作レバー５４６の下端部は、下ケース５２０Ｂの外周面と係止爪５４５との間に挿入されている。操作レバー５４６は、その上端部に配置されたばね５４７によって上方に向かって付勢されている。操作レバー５４６をばね５４７の付勢力に抗して下方に押し下げることにより、操作レバー５４６の下端部に形成された傾斜面５４６Ａで係止爪５４５を前方に押し出し、蓋５５０に対する係止爪５４５の係合を解除することができる。蓋５５０は、係止爪５４５の係合が解除された状態で、下ケース５２０Ｂから取り外すことができる。蓋５５０を下ケース５２０Ｂから取り外すことにより、当該下ケース５２０Ｂの底面開口を開放し、この底面開口を介して下ケース５２０Ｂ内に溜まった塵埃を取り出すことができる。
【０１２３】
この実施形態では、円筒フィルタ５３１および管状部材５２８を一体的に回転させることができるようになっている。上ケース５２０Ａと下ケース５２０Ｂとを連結すると、円筒フィルタ５３１の下端部が管状部材５２８の上端部に連結されて、円筒フィルタ５３１および管状部材５２８が一体となる。円筒フィルタ５３１の上端部は、上ケース５２０Ａの上部空間５２２と下部空間５２３とを区画する区画壁５４０を貫通して上部空間５２２に臨んでおり、その外周面に形成されたフランジ部５４１の下面が区画壁５４０の上面に当接することにより、円筒フィルタ５３１が回転可能に保持されている。
【０１２４】
円筒フィルタ５３１の上端部に形成されたフランジ部５４１の上面の外周縁には、複数の歯が形成されており、上ケース５２０Ａの上部空間５２２内には、これらの歯に噛み合うギア５４２が配置されている。ギア５４２は、その軸線が前後方向に延びており、上ケース５２０Ａの周面の後端部から外方に張り出したダイヤル５４３に連結されている。ダイヤル５４３を回転させると、ギア５４２を介してフランジ部５４１が回転し、円筒フィルタ５３１およびこれに連結された管状部材５２８が回転する。このような構成によれば、下ケース５２０Ｂ内に塵埃が堆積して、管状部材５２８の外周面に塵埃が張り付いた状態となっている場合でも、回転する管状部材５２８の外周面に形成された螺旋状のリブ５２８Ｂによって、塵埃を管状部材５２８の外周面から分離させることができる。したがって、その後に蓋５５０を開いて下ケース５２０Ｂ内の塵埃を容易に取り出すことができる。
【０１２５】
この実施形態では、導入口５１２から取り込まれた空気に含まれる粗塵を、円筒フィルタ５２５で捕獲して下ケース５２０Ｂ内に溜めておくことができるので、上ケース５２０Ａ内に粗塵が流入するのを防止できる。したがって、上ケース５２０内（下部空間５２３内）に配置された円筒フィルタ５３１および濾紙フィルタ５３２に付着する塵埃の量が少なく、これらのフィルタに付着した塵埃（細塵）を頻繁に除去する必要がないので、メンテナンスが容易である。
【０１２６】
この発明は、以上の実施形態の内容に限定されるものではなく、請求項記載の範囲内において種々の変更が可能である。
たとえば、第１実施形態において、誘導部材２４，１２４，２２４，３２４，４２４は、ほぼ９０°に屈曲（または湾曲）したような形状に限らず、たとえば、一直線上に延びるような形状であってもよい。
【０１２７】
フィルタ部材３０，１３０，２３０，３３０，４３０は、メッシュフィルタ３１，１３１，２３１，３３１，４３１と濾紙フィルタ３２，１３２，２３２，３３２，４３２の２層構造のものに限らず、いずれか一方の１層構造のものであってもよいし、他のフィルタを組み合わせて３層以上のフィルタを含むような構造であってもよい。
フィルタ部材３０，１３０，２３０，３３０，４３０は、メッシュフィルタ３１，１３１，２３１，３３１，４３１や濾紙フィルタ３２，１３２，２３２，３３２，４３２に限らず、他のフィルタによって構成されるものであってもよい。
【０１２８】
円筒フィルタ２５，１２５，２２５，３２５，４２５の通気口２６，１２６，２２６，３２６，４２６は、メッシュフィルタ２７，１２７，２２７，３２７，４２７に限らず、他のフィルタで覆われていてもよいし、フィルタが設けられていなくてもよい。
第２実施形態において、下ケース５２０Ｂに備えられた円筒フィルタ５２５は、略円筒状の部材の外周面に複数の小孔を形成することにより構成されたものに限らず、たとえば、メッシュフィルタを含むような構成であってもよい。
【０１２９】
上ケース５２０Ａに備えられたフィルタは、メッシュフィルタ５３１Ｃと濾紙フィルタ５３２の２層構造のものに限らず、いずれか一方の１層構造のものであってもよいし、他のフィルタを組み合わせて３層以上のフィルタを含むような構造であってもよい。
上ケース５２０Ａに備えられたフィルタは、メッシュフィルタ５３１Ｃや濾紙フィルタ５３２に限らず、他のフィルタによって構成されるものであってもよい。
【図面の簡単な説明】
【０１３０】
【図１】この発明の第１実施形態に係る掃除機の構成を示す外観図であって、左側面図を示している。
【図２】掃除機の背面図である。
【図３】集塵装置を前後方向に沿った鉛直面で切断したときの断面を左側から見た断面図である。
【図４】集塵装置の背面図である。
【図５】図３に示す矢印Ａ−Ａに沿って見た集塵装置の断面図である。
【図６】分岐管の底面図である。
【図７】第１変形例に係る集塵装置を前後方向に沿った鉛直面で切断したときの断面を左側から見た断面図である。
【図８】集塵装置の背面図である。
【図９】図７に示す矢印Ｂ−Ｂに沿って見た集塵装置の断面図である。
【図１０】図７に示す矢印Ｃ−Ｃに沿って見た集塵装置の断面図である。
【図１１】第２変形例に係る集塵装置を前後方向に沿った鉛直面で切断したときの断面を左側から見た断面図である。
【図１２】集塵装置の背面図である。
【図１３】図１１に示す矢印Ｄ−Ｄに沿って見た集塵装置の断面図である。
【図１４】第３変形例に係る集塵装置を前後方向に沿った鉛直面で切断したときの断面を左側から見た断面図である。
【図１５】集塵装置の背面図である。
【図１６】図１４に示す矢印Ｅ−Ｅに沿って見た集塵装置の断面図である。
【図１７】図１４に示す矢印Ｆ−Ｆに沿って見た集塵装置の断面図である。
【図１８】第４変形例に係る集塵装置を前後方向に沿った鉛直面で切断したときの断面を左側から見た断面図である。
【図１９】集塵装置の背面図である。
【図２０】図１８に示す矢印Ｇ−Ｇに沿って見た集塵装置の断面図である。
【図２１】フィルタ部材の平面図である。
【図２２】この発明の第２実施形態に係る掃除機の構成を示す外観図であって、左側面図を示している。
【図２３】掃除機の背面図である。
【図２４】集塵装置を左右方向に沿った鉛直面で切断したときの断面を後側から見た断面図である。
【図２５】集塵装置を前後方向に沿った鉛直面で切断したときの断面を左側から見た断面図である。
【図２６】集塵装置の分解断面図である。
【符号の説明】
【０１３１】
１  掃除機
３  吸込部
４  本体
５  ハンドル
１０  集塵装置
１２  導入口
１４  排気口
２４  誘導部材
２５  円筒フィルタ
２７  メッシュフィルタ
２８  分岐管
２９  捕獲室
３０  フィルタ部材
３１  メッシュフィルタ
３２  濾紙フィルタ
３５  フランジ部
３９  ブラシ部材
４３  ダイヤル
１１０  集塵装置
１１２  導入口
１１４  排気口
１２４  誘導部材
１２５  円筒フィルタ
１２７  メッシュフィルタ
１２８  分岐管
１２９  捕獲室
１３０  フィルタ部材
１３１  メッシュフィルタ
１３２  濾紙フィルタ
２１０  集塵装置
２１２  導入口
２１４  排気口
２２４  誘導部材
２２５  円筒フィルタ
２２７  メッシュフィルタ
２２８  分岐路
２２９  捕獲室
２３０  フィルタ部材
２３１  メッシュフィルタ
２３２  濾紙フィルタ
２３５  フランジ部
２３９  ブラシ部材
２４３  ダイヤル
２４９  誘導管
３１０  集塵装置
３１２  導入口
３１４  排気口
３２４  誘導部材
３２５  円筒フィルタ
３２７  メッシュフィルタ
３２８  分岐路
３２９  捕獲室
３３０  フィルタ部材
３３１  メッシュフィルタ
３３２  濾紙フィルタ
４１０  集塵装置
４１２  導入口
４１４  排気口
４２３  下部空間
４２４  誘導部材
４２５  円筒フィルタ
４２７  メッシュフィルタ
４２８  分岐路
４２９  捕獲室
４３０  フィルタ部材
４３１  メッシュフィルタ
４３２  濾紙フィルタ
４４９  区画壁
５０１  掃除機
５０３  吸込部
５０４  本体
５０５  ハンドル
５１０  集塵装置
５１２  導入口
５１４  排気口
５２０Ａ  上ケース
５２０Ｂ  下ケース
５２５  円筒フィルタ
５２８  管状部材
５３１  円筒フィルタ
５３２  濾紙フィルタ
【図１】
2005312665.tif 000003
【図２】
2005312665.tif 000004
【図３】
2005312665.tif 000005
【図４】
2005312665.tif 000006
【図５】
2005312665.tif 000007
【図６】
2005312665.tif 000008
【図７】
2005312665.tif 000009
【図８】
2005312665.tif 000010
【図９】
2005312665.tif 000011
【図１０】
2005312665.tif 000012
【図１１】
2005312665.tif 000013
【図１２】
2005312665.tif 000014
【図１３】
2005312665.tif 000015
【図１４】
2005312665.tif 000016
【図１５】
2005312665.tif 000017
【図１６】
2005312665.tif 000018
【図１７】
2005312665.tif 000019
【図１８】
2005312665.tif 000020
【図１９】
2005312665.tif 000021
【図２０】
2005312665.tif 000022
【図２１】
2005312665.tif 000023
【図２２】
2005312665.tif 000024
【図２３】
2005312665.tif 000025
【図２４】
2005312665.tif 000026
【図２５】
2005312665.tif 000027
【図２６】
2005312665.tif 000028